(57)【要約】【課題】顧客側にとっては来店のための強い動機付けとなるシステムであるとともに、店舗側にとっては、顧客の来店を促し、顧客の来店予測情報を得ることができるシステムの提供。【解決手段】来店予告情報を入力する来店予告手段と、顧客を特定する顧客特定手段と、該顧客の来店予告情報を特定する手段と、該顧客の前記来店予告情報の日、日時、または来店若しくは購買までの期間と顧客の来店または購買が確認された日または日時または確認までの期間の一致または不一致を照合する照合手段と、前記照合手段により前記来店予告情報の日、日時、または来店若しくは購買までの期間と前記顧客の来店または購買が確認された日または日時または確認までの期間とが一致することを条件として前記顧客に特典を付与する特典付与手段とを備えてなる顧客来店促進システム【選択図】  図１
2012022441.tif 000002
【特許請求の範囲】
【請求項１】
顧客の次回以降の来店予定または購買予定の日、日時、または、来店若しくは購買までの期間の少なくともいずれかの情報を含む来店予告情報を入力する来店予告手段と、顧客の前記来店予告情報を特定する手段と、顧客の来店予告情報の日、日時、または来店若しくは購買までの期間と該顧客の来店または購買が確認された日または日時または確認までの期間の一致または不一致を照合する照合手段と、前記照合手段により前記来店予告情報の日、日時、または来店若しくは購買までの期間と該顧客の来店または購買が確認された日または日時または確認までの期間とが一致することを条件として該顧客に特典を付与する特典付与手段とを備えてなり、
顧客が来店予告情報どおりに来店した場合には、該顧客に特典を付与することを特徴とする顧客来店促進システム。
【請求項２】
顧客の次回以降の来店予定または購買予定の日、日時、または、来店若しくは購買までの期間の少なくともいずれかの情報を含む来店予告情報を入力する来店予告手段と、顧客識別子を入力する顧客識別子入力手段と、入力された情報をデータベースとの間で伝達する伝達手段と、前記来店予告情報を前記顧客識別子と関連づけて記憶する記憶手段と、前記顧客識別子に対応する前記来店予告情報を抽出する抽出手段と、抽出された前記来店予告情報の日、日時、または来店若しくは購買までの期間と顧客識別子入力手段により顧客識別子が入力された日、日時または入力までの期間との一致または不一致を照合する照合手段と、前記照合手段により前記来店予告情報の日、日時、または来店若しくは購買までの期間と顧客識別子入力手段により顧客識別子が入力された日、日時または入力までの期間が一致することを条件として前記顧客に特典を付与する特典付与手段とを備えてなり、
顧客が来店予告情報どおりに来店した場合には、該顧客に特典を付与することを特徴とする請求項１記載の顧客来店促進システム。
【請求項３】
顧客の次回以降の来店予定または購買予定の日、日時、または、来店若しくは購買までの期間の少なくともいずれかの情報を含む来店予告情報を入力する来店予告手段と、顧客の記録装置を認識する記録装置認識手段と、前記記録装置に前記来店予告情報を記録する記録手段と、前記記録装置に記録された前記来店予告情報を読み出す読み出し手段と、前記読み出し手段により読み出された前記来店予告情報の日、日時、または来店若しくは購買までの期間と前記読み出し手段により前記来店予告情報を読み出した日、日時または読み出しまでの期間の一致または不一致を照合する照合手段と、前記照合手段により前記来店予告情報の日、日時、または来店若しくは購買までの期間と前記来店予告情報を読み出した日、日時または読み出しまでの期間が一致することを条件として前記顧客に特典を付与する特典付与手段とを備えてなり、
顧客が来店予告情報どおりに来店した場合には、該顧客に特典を付与することを特徴とする請求項１記載の顧客来店促進システム。
【請求項４】
前記照合手段による照合結果が一致しないこと、および/または、前記照合手段の照合結果が演算された日、日時または期間が、来店予告情報の日、日時、または来店若しくは購買までの期間を過ぎていることを条件としてペナルティを付与するペナルティ付与手段を備えてなることを特徴とする請求項１乃至３のいずれかに記載の顧客来店促進システム。
【請求項５】
前記特典付与手段は、照合手段による照合結果が一致することを条件として顧客のポイントテーブルに特典ポイントを加算するポイント加算手段を備えてなることを特徴とする請求項１乃至４のいずれかに記載の顧客来店促進システム。
【請求項６】
前記特典付与手段は、特典ポイントの加算率を変動させるポイント加算率変動手段を備えてなることを特徴とする請求項５に記載の顧客来店促進システム。
【請求項７】
前記ペナルティ付与手段は、前記照合手段による照合結果が一致しないこと、および/または、前記照合手段の照合結果が演算された日、日時または期間が、来店予告情報の日、日時、または来店または購買までの期間を過ぎていることを条件として顧客テーブルから特典ポイントを減算するポイント減算手段を備えてなることを特徴とする請求項１乃至６のいずれかに記載の顧客来店促進システム。
【請求項８】
前記ペナルティ付与手段は、特典ポイントの減算率を変動させるポイント減算率変動手段を備えてなることを特徴とする請求項７に記載の顧客来店促進システム。
【請求項９】
前記特典付与手段は、照合手段による照合結果が一致することを条件として顧客の購入商品または購入サービスの価格を値引きする手段を備えてなることを特徴とする請求項１乃至８のいずれかに記載の顧客来店促進システム。
【請求項１０】
前記特典付与手段は、照合手段による照合結果が一致することを条件として顧客に付与する特典内容を店舗に設置される装置に表示させる手段を備えてなることを特徴とする請求項１乃至９のいずれかに記載の顧客来店促進システム。
【請求項１１】
前記来店予告手段は、顧客が選択する次回以降の来店日、来店日時、または、次回来店までの来店期間をカレンダー表示から選択して入力する入力装置であることを特徴とする請求項１乃至１０のいずれかに記載の顧客来店促進システム。
【請求項１２】
前記照会手段は、前記来店予告情報に含まれる日、日時、または来店若しくは購買までの期間と、前記照会手段が演算する日、日時、期間の一致または不一致を時計装置の計測結果に基づいて演算する手段であることを特徴とする請求項１乃至１１のいずれかに記載の顧客来店促進システム。
【請求項１３】
前記顧客識別子入力手段は、識別番号、バーコード、二次元バーコード、磁気データ、電子データを入力する入力装置、または、識別番号、バーコード、二次元バーコード、磁気データ、電子データを読み取る読み取り装置であることを特徴とする請求項２、４乃至１２のいずれかに記載の顧客来店促進システム。
【請求項１４】
前記記録手段は、顧客が保有する磁気カード、ＩＣタグまたは通信端末にデータを書き込む装置であることを特徴とする請求項３乃至１３のいずれかに記載の顧客来店促進システム。
【発明の詳細な説明】
【技術分野】
【０００１】
本発明は、顧客来店促進システムに関し、顧客が所定の要件を満たすことにより顧客への特典を付与することを動機付けとして顧客の来店を促進させるためのシステムである。
【背景技術】
【０００２】
従来より、顧客が保有する店舗のサービスポイントカードやサービススタンプカードに、顧客が購入する商品またはサービスの額により所定の数のサービススタンプを押印したり、サービスポイントを加算する等して、顧客が来店するための動機付けを行うことがあった。
【０００３】
しかしながら、これらは顧客が来店するための多少の動機付けになるものではあるが、顧客側にとっては、一般的に全ての顧客に一律のポイントが付与されるため次回来店するための強い動機付けになるとはいえなかった。また、店舗側は、顧客が次回来店するかどうか、特に、次はいつ頃顧客が来店するかについての情報を得ることができなかった。
【０００４】
例えば、特許文献１記載の発明は、顧客の過去の来店実績と連動して、商品の値引きサービスをするシステムである。また特許文献２記載の発明は、顧客が購買の意思を示したとき、その商品の将来の入荷の可能性が確認可能な場合、販売価格の割引や、商品券またはそれに類するポイントの付与をする販売形態をとり、売買契約を成立させる販売管理方法である。特許文献３記載の発明は、顧客の商品買い上げ情報と、顧客の属性情報に基づき提供されるサービスを選択するシステムである。特許文献４記載の発明は、予め設定された期間内においてより多く商品を購入した顧客に対しては、より大きい特典を付与する特典付与管理システムである。
【特許文献１】特開２０００−３０１５３号公報
【特許文献２】特開２００７−１６４７４３号公報
【特許文献３】特開２００７−１０９１６８号公報
【特許文献４】特開２００４−２２０４２６号公報
【発明の開示】
【発明が解決しようとする課題】
【０００５】
そこで本願発明は、顧客側にとっては次回以降の来店のための強い動機付けとなるシステムであるとともに、店舗側にとっては、顧客の来店を促すとともに、次回以降の顧客の来店の予測情報を得ることができるシステムを提供することを目的とする。
【課題を解決するための手段】
【０００６】
上記目的を達成するため本発明の顧客来店促進システムは、顧客の次回以降の来店予定または購買予定の日、日時、または、来店若しくは購買までの期間の少なくともいずれかの情報を含む来店予告情報を入力する来店予告手段と、顧客の前記来店予告情報を特定する手段と、顧客の来店予告情報の日、日時、または来店若しくは購買までの期間と該顧客の来店または購買が確認された日または日時または確認までの期間の一致または不一致を照合する照合手段と、前記照合手段により前記来店予告情報の日、日時、または来店若しくは購買までの期間と該顧客の来店または購買が確認された日または日時または確認までの期間とが一致することを条件として該顧客に特典を付与する特典付与手段とを備えてなり、顧客が来店予告情報どおりに来店した場合には、該顧客に特典を付与することを特徴とする。
【０００７】
顧客の次回以降の来店予定または購買予定の日、日時、または、来店若しくは購買までの期間の少なくともいずれかの情報を含む来店予告情報を入力する来店予告手段と、顧客識別子を入力する顧客識別子入力手段と、入力された情報をデータベースとの間で伝達する伝達手段と、前記来店予告情報を前記顧客識別子と関連づけて記憶する記憶手段と、前記顧客識別子に対応する前記来店予告情報を抽出する抽出手段と、抽出された前記来店予告情報の日、日時、または来店若しくは購買までの期間と顧客識別子入力手段により顧客識別子が入力された日、日時または確認までの期間との一致または不一致を照合する照合手段と、前記照合手段により前記来店予告情報の日、日時、または来店若しくは購買までの期間と顧客識別子入力手段により顧客識別子が入力された日、日時または入力までの期間が一致することを条件として前記顧客に特典を付与する特典付与手段とを備えてなり、顧客が来店予告情報どおりに来店した場合には、該顧客に特典を付与することを特徴とする。
【０００８】
顧客の次回以降の来店予定または購買予定の日、日時、または、来店若しくは購買までの期間の少なくともいずれかの情報を含む来店予告情報を入力する来店予告手段と、顧客の記録装置を認識する記録装置認識手段と、前記記録装置に前記来店予告情報を記録する記録手段と、前記記録装置に記録された前記来店予告情報を読み出す読み出し手段と、前記読み出し手段により読み出された前記来店予告情報の日、日時、または来店若しくは購買までの期間と前記読み出し手段により前記来店予告情報を読み出した日、日時または読み出しまでの期間の一致または不一致を照合する照合手段と、前記照合手段により前記来店予告情報の日、日時、または来店若しくは購買までの期間と前記来店予告情報を読み出した日、日時または読み出しまでの期間が一致することを条件として前記顧客に特典を付与する特典付与手段とを備えてなり、顧客が来店予告情報どおりに来店した場合には、該顧客に特典を付与することを特徴とする。
【０００９】
前記照合手段による照合結果が一致しないこと、および/または、前記照合手段の照合結果が演算された日、日時または期間が、来店予告情報の日、日時、または来店または購買までの期間を過ぎていることを条件としてペナルティを付与するペナルティ付与手段を備えてなることを特徴とする。
【００１０】
前記特典付与手段は、照合手段による照合結果が一致することを条件として顧客のポイントテーブルに特典ポイントを加算するポイント加算手段を備えてなることを特徴とする。
【００１１】
前記特典付与手段は、特典ポイントの加算率を変動させるポイント加算率変動手段を備えてなることを特徴とする。
【００１２】
前記ペナルティ付与手段は、前記照合手段による照合結果が一致しないこと、および/または、前記照合手段の照合結果が演算された日、日時または期間が、来店予告情報の日、日時、または来店または購買までの期間を過ぎていることを条件として顧客テーブルから特典ポイントを減算するポイント減算手段を備えてなることを特徴とする。
【００１３】
前記ペナルティ付与手段は、特典ポイントの減算率を変動させるポイント減算率変動手段を備えてなることを特徴とする。
【００１４】
前記特典付与手段は、照合手段による照合結果が一致することを条件として顧客の購入商品または購入サービスの価格を値引きする手段を備えてなることを特徴とする。
【００１５】
前記特典付与手段は、照合手段による照合結果が一致することを条件として顧客に付与する特典内容を店舗に設置される装置に表示させる手段を備えてなることを特徴とする。
【００１６】
前記来店予告手段は、顧客が選択する次回以降の来店日、来店日時、または、次回来店までの来店期間をカレンダー表示から選択して入力する入力装置であることを特徴とする。
【００１７】
前記照会手段は、前記来店予告情報に含まれる日、日時、または来店若しくは購買までの期間と、前記照会手段が演算する日、日時、期間の一致または不一致を時計装置の計測結果に基づいて演算する手段であることを特徴とする。
【００１８】
前記顧客識別子入力手段は、識別番号、バーコード、二次元バーコード、磁気データ、電子データを入力する入力装置、または、識別番号、バーコード、二次元バーコード、磁気データ、電子データを読み取る読み取り装置であることを特徴とする。
【００１９】
前記記録手段は、顧客が保有する磁気カード、ＩＣタグまたは通信端末にデータを書き込む装置であることを特徴とする。
【発明の効果】
【００２０】
本願発明の顧客来店促進システムは、顧客の次回以降の来店予定または購買予定の日、日時、または、来店若しくは購買までの期間の少なくともいずれかの情報を含む来店予告情報を入力する来店予告手段と、顧客の前記来店予告情報を特定する手段と、顧客の来店予告情報の日、日時、または来店若しくは購買までの期間と該顧客の来店または購買が確認された日または日時または確認までの期間の一致または不一致を照合する照合手段と、前記照合手段により前記来店予告情報の日、日時、または来店若しくは購買までの期間と該顧客の来店または購買が確認された日または日時または確認までの期間とが一致することを条件として該顧客に特典を付与する特典付与手段とを備えてなり、顧客が来店予告情報どおりに来店した場合には、該顧客に特典を付与することにより、顧客側は、自己が来店予告した日に来店または商品やサービスの購入をすればより高い特典を得ることができ、来店のための強い動機付けを得ることができる。店舗側にとっては、顧客の来店を促して顧客を獲得することができ、次回以降の顧客の来店予測情報を得ることができるため特売日の設定や、在庫の管理に役立てることができる。
【００２１】
また本発明の顧客来店促進システムは、顧客の次回以降の来店予定または購買予定の日、日時、または、来店若しくは購買までの期間の少なくともいずれかの情報を含む来店予告情報を入力する来店予告手段と、顧客識別子を入力する顧客識別子入力手段と、入力された情報をデータベースとの間で伝達する伝達手段と、前記来店予告情報を前記顧客識別子と関連づけて記憶する記憶手段と、前記顧客識別子に対応する前記来店予告情報を抽出する抽出手段と、抽出された前記来店予告情報の日、日時、または来店若しくは購買までの期間と顧客識別子入力手段により顧客識別子が入力された日、日時または確認までの期間との一致または不一致を照合する照合手段と、前記照合手段により前記来店予告情報の日、日時、または来店若しくは購買までの期間と顧客識別子入力手段により顧客識別子が入力された日、日時または入力までの期間が一致することを条件として前記顧客に特典を付与する特典付与手段とを備えてなり、顧客が来店予告情報どおりに来店した場合には、該顧客に特典を付与することにより、顧客識別子とデータベースでシステムを構築するため、顧客側は固有の識別子を保有するだけでシステムに参加することができ、店舗側は各種情報を一元的に管理することができる。
【００２２】
また本発明の顧客来店促進システムは、顧客の次回以降の来店予定または購買予定の日、日時、または、来店若しくは購買までの期間の少なくともいずれかの情報を含む来店予告情報を入力する来店予告手段と、顧客の記録装置を認識する記録装置認識手段と、前記記録装置に前記来店予告情報を記録する記録手段と、前記記録装置に記録された前記来店予告情報を読み出す読み出し手段と、前記読み出し手段により読み出された前記来店予告情報の日、日時、または来店若しくは購買までの期間と前記読み出し手段により前記来店予告情報を読み出した日、日時または読み出しまでの期間の一致または不一致を照合する照合手段と、前記照合手段により前記来店予告情報の日、日時、または来店若しくは購買までの期間と前記来店予告情報を読み出した日、日時または読み出しまでの期間が一致することを条件として前記顧客に特典を付与する特典付与手段とを備えてなり、顧客が来店予告情報どおりに来店した場合には、該顧客に特典を付与することにより、顧客の記録装置に情報を記録することでシステムを運用するため、店舗側は、ネットワークやサーバー等のシステムを構築しなくてもよい。
【００２３】
また、上述の本願発明の顧客来店促進システムにおいて、前記照合手段による照合結果が一致しないこと、および/または、前記照合手段の照合結果が演算された日、日時または期間が、来店予告情報の日、日時、または、来店若しくは購買までの期間を過ぎていることを条件としてペナルティを付与するペナルティ付与手段を備えてなることにより、顧客はペナルティを嫌い、さらなる顧客の来店を促すことができる。
【図面の簡単な説明】
【００２４】
【図１】本願発明の第一の実施の形態を示すシステムの概略図。
【図２】本願発明の第二の実施の形態を示すシステムの概略図。
【図３】本願発明の第三の実施の形態を示すシステムの概略図。
【図４】本願発明のシステムのフローチャート。
【図５】本願発明のシステムのフローチャート。
【図６】本願発明のシステムのフローチャート。
【図７】本願発明のシステムのフローチャート。
【発明を実施するための形態】
【００２５】
本願発明の最も簡易かつ、一般的な顧客来店促進システムは、顧客の次回以降の来店予定または購買予定の日、日時、または来店または購買までの期間の少なくともいずれかの情報を含む来店予告情報を入力する来店予告手段と、顧客を特定する顧客特定手段と、該顧客の来店予告情報を特定する手段と、前記来店予告情報の日と該顧客の来店事実が確認された日の一致または不一致を照合する照合手段と、前記照合手段により前記来店予告情報の日、日時、または来店または購買までの期間と来店事実入力日または入力日時または入力までの期間が一致することを条件として前記顧客に特典を付与する特典付与手段とを備えてなるシステムである。
【００２６】
このシステムの処理を一般化したフローチャートを図４に示す。顧客が来店し、顧客の識別番号および顧客が前回予告した来店予告日（例えば２０１０年７月１日）をテンキー等により入力する（Ｓ１）。既に入力されている来店予告日（２０１０年７月１日）と、当該入力日（例えば本日）と一致しているかどうか照合手段は照合する（Ｓ２）。一致（Ｙｅｓ）の結果が算出されることを条件として特典付与手段は、特典を与える処理を行う（Ｓ３）。ここまでが基本的な処理である。また、不一致（Ｎｏ）との結果が算出されたことを条件として、来店予告日を過ぎているかどうか照合する（Ｓ４）。来店予告日を過ぎていない場合には（Ｎｏ）、処理は終了し、来店予告日を過ぎている場合には（Ｙｅｓ）、ペナルティを与える設定にしているかどうか照合する（Ｓ５）。ペナルティを与える設定にしていない場合には（Ｎｏ）、処理は終了し、ペナルティを与える設定にしている場合には（Ｙｅｓ）、ペナルティの処理を行う（Ｓ６）。
【００２７】
本願発明の第一の実施の形態の顧客来店促進システムを図１に示す。図１に示すシステム１は、店舗に設置される店舗装置２、店舗または本部に設置されるＣＰＵ４１、ＲＡＭ４２、データベース３１等が搭載または接続されているサーバー３、顧客が保有するカード５１〜５３（５Ｘ）に記載、記録されている顧客ＩＤとで構成されており、店舗装置２とサーバー３は情報伝達可能にケーブル、専用回線、またはインターネット等の通信網により接続されている。このシステム１は、顧客が店舗に設置してある店舗装置２において来店予告情報を入力し、来店日に店舗装置２で来店事実を確認するために顧客識別子を入力をし、これらの情報がサーバー３で処理されるシステムの例である。
【００２８】
顧客が保有するカード５１〜５３には、あらかじめ識別番号が磁気データにより記録されていて、たとえば１６桁の固有番号のごとき顧客ＩＤが付与されている。
【００２９】
店舗装置２には、来店予告手段としての次回来店予告日を入力するテンキーまたはパネルタッチ式入力装置等の来店予告情報入力装置２２、顧客識別子入力手段としての、磁気カードから顧客ＩＤを読み取るリーダー装置またはテンキー等の識別子入力装置２３、サーバー３との間で情報伝達をするモデム等の通信装置２４が接続されている。また店舗装置２にはモニター２１が接続されている。システム１においてこれらの装置は、一つの店舗装置２に構築されており、テンキー、リーダー装置、パネルタッチ式入力装置は各入力手段を兼ねるように構築されている。尚、これらの各手段は個別の装置として構築してもよい。また店舗装置２に接続されるモニター２１には、顧客が来店予告日を選択するカレンダーの他、特売日情報や、広告情報などを出力するようになっている。これらの情報はサーバー３のデータベース３１から伝達するようにしてもよい。尚、店舗装置２には不図示のＰＯＳやレジスターを搭載して、商品またはサービスの購入の際に各種情報を入力可能にしてもよい。さらに、カード５１〜５３表面に来店予告日を印字する印字装置を備えてもよい。
【００３０】
このシステム１における店舗装置２の識別子入力装置２３はカード５１〜５３を挿入するとカード５１〜５３に付された磁気データからなる顧客ＩＤを読み取るようになっている。また、来店予告情報入力装置２２は、モニター２１に表示されるその日以降のカレンダーから任意の来店予告日を選択的に入力できるようになっている。そして通信装置２４は、顧客ＩＤと入力された来店予告日をサーバー３に伝達するようになっている。尚、これらの装置に顧客ＩＤを読み取らせたり、来店予告や来店に関する情報を入力する作業は、顧客本人が行ってもよいし、店舗の店員が行ってもよい。
【００３１】
サーバー３は、データベース３１とＣＰＵ４１、ＲＡＭ４２等が搭載または相互にデータ通信可能に接続されている演算装置であって、店舗装置２と情報伝達可能な状態になっている。データベース３１には、少なくとも日付テーブルと顧客のポイントテーブルが格納されている。ＣＰＵ４１は、店舗装置２より来店予告情報と顧客ＩＤの伝達があると、来店予告情報に該当する日付テーブルの個所に、顧客ＩＤに対応するフラグをたてるようになっている。また、ＣＰＵ４１は、店舗装置２から顧客ＩＤの伝達があった場合には、この顧客ＩＤを鍵にして対応する来店予告情報の日付を抽出する手段を有している。また、ＣＰＵ４１は、抽出された来店予告情報の日付と来店時事実を確認した日（顧客ＩＤの伝達がされた日）が一致するか、一致しないかを演算する照合手段を有している。この照合手段は店舗装置２から顧客ＩＤの伝達があった日を確認するためにカレンダー装置、または時計装置と接続されている。尚、カレンダー装置、または時計装置は、サーバー３側に備えずに店舗装置２側に備えてもよく、この場合、顧客ＩＤとともに確認された日付がサーバー３へ伝達される。
【００３２】
さらに、システム１において、ポイント付与手段は、商品またはサービスの購入に使うことのできる特典ポイントを加算する設定であり、ＣＰＵ４１は、照合手段により来店予告情報の日付と顧客ＩＤの伝達がされた日付（例えば、本日）が一致する結果が得られたことを条件として、顧客ＩＤに対応するポイントテーブルに所定の特典ポイントを加算するポイント加算手段を有している。また、ポイント加算手段とともに、または、ポイント加算手段に代えて、照合手段により来店予告情報の日付と顧客ＩＤの伝達がされた日付が一致する結果が得られたことを条件として、顧客ＩＤに対応するポイントテーブルの特典ポイントに乗じられるポイント加算率をより大きな乗数に変動させるポイント加算率変動手段を有している。このポイント加算率変動手段は、所定回数を超えて来店した顧客のポイントテーブル毎に変動させてもよいし、来店予告の多い日または少ない日、あるいはあらかじめ設定した特売日など一定の期間変動させてもよい。
【００３３】
さらに、ペナルティ付与手段が設定可能なシステム１において、ペナルティ付与手段は、商品またはサービスの購入に使うことのできる特典ポイントを減算する設定になっている。ＣＰＵ４は、照合手段により来店予告情報の日付と顧客ＩＤの伝達がされた日付（例えば、本日）が一致しないこと、および、該日付が来店予告情報の日付を過ぎていることを条件として、顧客ＩＤに対応するポイントテーブルから所定の特典ポイントを減算するポイント減算手段を有している。また、ポイント減算手段とともに、または、ポイント減算手段に代えて、照合手段により来店予告情報の日付と来店事実確認手段により確認された日付が一致しないこと、および、顧客ＩＤの伝達がされた日付（例えば、本日）が来店予告情報の日付を過ぎていることを条件として、顧客ＩＤに対応するポイントテーブルの特典ポイントに乗じられるポイント加算率をより小さな乗数に変動させるポイント加算率変動手段を有している。尚、このペナルティ付与手段を動作させるか、動作させないかの設定は任意に選択することができる。
【００３４】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、価格テーブルの価格（例えばマイナス１００円）を店舗装置２や不図示のＰＯＳやレジスターに伝達し、購入物に対する価格に反映するようになっている。これにより、例えば単価３００円の物が該顧客に対しては１００円引きの２００円で販売される。
【００３５】
尚、ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００３６】
尚、システム１に用いられるカード５１〜５３は磁気データを読み出す磁気式のカードであるが、顧客ＩＤを、識別番号、バーコード、二次元バーコード、電子データとし、これらを記載または記録したカードであってもよく、識別子入力装置２３は顧客ＩＤに対応する入力装置であってもよい。
【００３７】
システム１における処理のフローチャートを図５に示す。顧客が来店しカード５１を識別子入力装置２３に挿入すると、識別子入力装置２３が顧客ＩＤを読み取る、例えば、モニター２１に表示されたカレンダーを参照しながら来店予告情報入力装置２２より次回以降の来店予告日（例えば、２０１０年７月１日）が入力されると、入力された顧客ＩＤと来店予告情報は、通信装置２４を介してサーバー３へ伝達され、ＣＰＵ２４は、データベース３１の日付テーブルに該顧客ＩＤに対応するフラグを立てる（Ｓ０）。ここまでが、来店予告段階である。
【００３８】
次に顧客が来店した際に、顧客が来店しカード５１を識別子入力装置２３に挿入すると、顧客ＩＤを識別子入力装置２３が読み取る。そして、この顧客ＩＤはサーバー３に伝達される。サーバー３においてＣＰＵ４１は該顧客ＩＤを受信すると該顧客ＩＤを鍵にしてデータベース３１の日付テーブルに立てられたフラグに基づいて該顧客ＩＤに対応する来店予告日（２０１０年７月１日）を抽出する（Ｓ１）。
【００３９】
次に、サーバー３においてＣＰＵ４１は、顧客ＩＤがサーバー３に伝達された日（例えば、本日）を確認し、該顧客の来店予告日（２０１０年７月１日）と顧客ＩＤがサーバー３に伝達された日（例えば、本日）の日付が一致するか一致しないかを照合手段で演算する（Ｓ２）。ここまでが照合段階である。
【００４０】
照合手段による演算結果が一致（本日が２０１０年７月１日：Ｙｅｓ）の場合には、ＣＰＵ４１は、ポイント加算手段により、該顧客ＩＤを鍵にしてデータベース３１の該顧客のポイントテーブルに所定のポイント（例えば１ポイント）を加算する（Ｓ３）。ここまでが特典付与段階である。
【００４１】
また、照合手段による演算結果が不一致（Ｎｏ）の場合には、ＣＰＵ４１は、顧客ＩＤがサーバー３に伝達された日（例えば、本日）の日付が該顧客の来店予告日（２０１０年７月１日）を過ぎているか照合する（Ｓ４）。来店予告日を過ぎていない（Ｎｏ）場合には処理は終了する。
【００４２】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００４３】
ペナルティを与えるルールにしている場合（Ｙｅｓ）の場合には、ＣＰＵ４１は、ポイント減算手段により、該顧客ＩＤを鍵にしてデータベース３１の該顧客のポイントテーブルから所定のポイント（例えば１ポイント）を減算する（Ｓ６）。ここまでがペナルティ付与段階である。以上が来店予告から来店事実を確認して来店予告日と来店事実を確認した日を照合し、照合結果に応じて特典またはペナルティを与えるシステムのフローである。
【００４４】
本願発明の第二の実施の形態の顧客来店促進システムを図１に示す。図２に示す顧客来店促進システム１２は、店舗に設置されるモニター２１を有する店舗装置２、店舗または本部に設置されるＣＰＵ４１、ＲＡＭ４２、データベース３１等が搭載または接続されているサーバー３、顧客が保有するカード５１〜５３（５Ｘ）に記載、記録されている顧客ＩＤ、顧客が店舗外において操作する来店予告装置としての顧客端末２５とで構成されており、店舗装置２と顧客端末２５とサーバー３は情報伝達可能にケーブル、専用回線、またはインターネット等の通信網により接続されている。このシステム１は、顧客が保有する顧客端末２５において来店予告情報を入力し、来店日に店舗装置２で来店事実を確認するために顧客識別子を入力をし、これらの情報がサーバー３で処理されるシステムの例である。
【００４５】
顧客にはあらかじめ顧客ＩＤが付与されており、例えばこの顧客ＩＤはカード５１〜５３にたとえば１６桁の固有番号のごとき顧客ＩＤとして記載または記録されている。顧客端末２５は、顧客が保有するサーバー３と情報通信可能なコンピュータや携帯通信端末である。顧客はこの顧客端末２５から自己の顧客ＩＤを入力してサーバー３にログインし、該顧客端末２５のテンキーやタッチパネルから次回以降の来店予告日を入力できるようになっている。尚、このとき顧客端末２５のモニターに顧客が来店予告日を選択するカレンダーの他、特売日情報や、広告情報などを出力するようになっている。これらの情報はサーバー３のデータベース３１から伝達されるようになっている。
【００４６】
店舗装置２には、顧客識別子入力手段としての、磁気カードから顧客ＩＤを読み取るリーダー装置またはテンキー等の識別子入力装置２３、サーバー３との間で情報伝達をするモデム等の通信装置２４が接続されている。システム１２においてこれらの装置は、一つの店舗装置２に構築されており、テンキー、リーダーライター装置、パネルタッチ式入力装置は各手段における入力手段を兼用するように構築されている。尚、これらの各手段は個別の装置として構築してもよい。また店舗装置２には、システム１のように、来店予告情報入力装置２２を搭載してもよく、来店予告情報は、顧客端末２５および来店予告情報入力装置２２のいずれからも入力可能にしてもよい。尚、店舗装置２には不図示のＰＯＳやレジスターを搭載して、商品またはサービスの購入の際に各種情報を入力可能にしてもよい。さらに、カード５１表面に来店予告日を印字する印字装置を備えてもよい。
【００４７】
このシステム１において、店舗装置２の識別子入力装置２３は、顧客が保有する磁気式のカード５１〜５３から識別子入力装置２３により顧客ＩＤを読み取るようになっている。顧客が来店を報告するためにカード５１〜５３を識別子入力装置２３に挿入すると、識別子入力装置２３は顧客ＩＤを読み取るようになっており、通信装置２４は、該顧客ＩＤをサーバー３に伝達するようになっている。
【００４８】
サーバー３は、データベース３１とＣＰＵ４、ＲＡＭ４２等が搭載または相互にデータ通信可能に接続されている演算装置であって、顧客端末２５および店舗装置２と情報伝達可能な状態になっている。データベース３１には、少なくとも日付テーブルと顧客のポイントテーブルが格納されている。ＣＰＵ４は、顧客端末２５より来店予告情報と顧客ＩＤの伝達があると、来店予告情報に該当する日付テーブルの個所に、顧客ＩＤに対応するフラグをたてるようになっている。また、ＣＰＵ４１は、店舗装置２から顧客ＩＤの伝達があった場合には、この顧客ＩＤを鍵にして日付テーブルに立てられたフラグに基づいて該顧客ＩＤに対応する来店予告情報の日付を抽出する手段を有している。また、ＣＰＵ４１は、抽出された来店予告情報の日付と来店事実を確認した日付（顧客ＩＤの伝達がされた日付）が一致するか、一致しないかを演算する照合手段を有している。この照合手段は店舗装置２から顧客ＩＤの伝達があった日を確認するカレンダー装置、または時計装置と接続されている。尚、カレンダー装置、または時計装置は、サーバー３側に備えずに店舗装置２側に備えてもよく、この場合、顧客ＩＤとともに確認された日付がサーバー３へ伝達される。
【００４９】
さらに、システム１２において、ポイント付与手段は、商品またはサービスの購入に使うことのできる特典ポイントを加算する設定であり、ＣＰＵ４は、照合手段により来店予告情報の日付と顧客ＩＤの伝達がされた日付（例えば、本日）が一致する結果が得られたことを条件として、顧客ＩＤに対応するポイントテーブルに所定の特典ポイントを加算するポイント加算手段を有している。また、ポイント加算手段とともに、または、ポイント加算手段に代えて、照合手段により来店予告情報の日付と来店事実確認手段により確認された日付が一致する結果が得られたことを条件として、顧客ＩＤに対応するポイントテーブルの特典ポイントに乗じられるポイント加算率をより大きな乗数に変動させるポイント加算率変動手段を有している。このポイント加算率変動手段は、所定回数の来店事実確認毎に変動させてもよいし、特売日や特売月間等特定の日に変動させてもよい。
【００５０】
さらに、ペナルティ付与手段が設定可能なシステム１２において、ペナルティ付与手段は、商品またはサービスの購入に使うことのできる特典ポイントを減算する設定になっている。ＣＰＵ４１は、照合手段により来店予告情報の日付と顧客ＩＤの伝達がされた日付（例えば、本日）が一致しないこと、および、該日付が来店予告情報の日付を過ぎていることを条件として、顧客ＩＤに対応するポイントテーブルから所定の特典ポイントを減算するポイント減算手段を有している。また、ポイント減算手段とともに、または、ポイント減算手段に代えて、照合手段により来店予告情報の日付と顧客ＩＤの伝達がされた日付（例えば、本日）が一致しないこと、および、来店事実確認手段により確認された日付が来店予告情報の日付を過ぎていることを条件として、顧客ＩＤに対応するポイントテーブルの特典ポイントに乗じられるポイント加算率をより小さな乗数に変動させるポイント加算率変動手段を有している。尚、このペナルティ付与手段を動作させるか、動作させないかの設定は任意に選択することができる。
【００５１】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、顧客ＩＤに対応する価格テーブルの価格を店舗装置２や不図示のＰＯＳやレジスターに伝達するようになっている。ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００５２】
尚、システム１２に用いられるカード５１〜５３は磁気データを読み出すカードであるが、顧客ＩＤを識別番号、バーコード、二次元バーコード、電子データとし、これらを記載または搭載したカードであってもよく、顧客端末２５および識別子入力装置２３はこれらに対応する入力装置であってもよい。
【００５３】
システム１２における処理のフローチャートを図６に示す。顧客が操作する顧客端末２５から顧客ＩＤによりサーバー３にログインがされ、来店予告日、（例えば、２０１０年７月１日）が入力されると、入力された情報は、通信回線を介してサーバー３へ伝達され、ＣＰＵ４１は、データベース３１の日付テーブルに該顧客ＩＤに対応するフラグを立てる（Ｓ０）。ここまでが、来店予告段階である。
【００５４】
次に、顧客が来店しカード５１〜５３を識別子入力装置２３に挿入すると、識別子入力装置２３は顧客ＩＤを読み取る。そして、この顧客ＩＤはサーバー３に伝達され、サーバー３においてＣＰＵ４１は該顧客ＩＤを鍵にしてデータベース３１の日付テーブルから該顧客の来店予告日（２０１０年７月１日）を抽出する（Ｓ１）。
【００５５】
次に、サーバー３においてＣＰＵ４１は、顧客ＩＤがサーバー３に伝達された日（例えば、本日）を確認し、該顧客の来店予告日（２０１０年７月１日）と顧客ＩＤがサーバー３に伝達された日（例えば、本日）の日付が一致するか一致しないかを照合手段で演算する（Ｓ２）。ここまでが照合段階である。
【００５６】
照合手段による演算結果が一致（本日が２０１０年７月１日：Ｙｅｓ）の場合には、ＣＰＵ４１は、ポイント加算手段により、該顧客ＩＤを鍵にしてデータベース３１の該顧客のポイントテーブルに所定のポイント（例えば１ポイント）を加算する（Ｓ３）。ここまでが特典付与段階である。
【００５７】
また、照合手段による演算結果が不一致（Ｎｏ）の場合には、ＣＰＵ４１は、顧客ＩＤがサーバー３に伝達された日（例えば、本日）の日付が該顧客の来店予告日（２０１０年７月１日）を過ぎているか照合する（Ｓ４）。来店予告日を過ぎていない（Ｎｏ）場合には処理は終了する。
【００５８】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００５９】
ペナルティを与えるルールにしている場合（Ｙｅｓ）の場合には、ＣＰＵ４１は、ポイント減算手段により、該顧客ＩＤを鍵にしてデータベース３１の該顧客のポイントテーブルから所定のポイント（例えば１ポイント）を減算する（Ｓ６）。ここまでがペナルティ付与段階である。以上が来店予告から来店事実を確認して来店予告日と来店事実を確認した日を照合し、照合結果に応じての特典またはペナルティを与えるシステムのフローである。
【００６０】
本願発明の第三の実施の形態の顧客来店促進システムを図３に示す。図３に示す顧客来店促進システム１３は、店舗に設置される店舗装置６、非接触式の記録装置としてのＲＦＩＤタグ内蔵カード８または携帯通信端末９とで構成されており、このシステム１３は、顧客が店舗に設置してある店舗装置６において来店予告情報を入力すると店舗装置６がこの情報が顧客の保有する記録装置８、９に記録し、さらに実際の来店日に店舗装置６は、記録装置８、９を店舗装置６に認識させて記録されている情報を読み出すことにより来店事実を確認し、来店予告情報と実際の来店日の照合をして特典の付与等を行う、店舗装置２とこれらの記録装置８、９の間で処理されるシステムの例である。
【００６１】
顧客が保有するＲＦＩＤタグ内蔵カード８は、非接触型の記録装置でありメモリとアンテナを備えたパッシヴ型またはアクティヴ型のＲＦＩＤタグを内蔵したカードであって、該カードに対して電磁誘導方式または電波方式のリーダーライター装置によりデータを読み取り書き込みすることができる記録装置である。携帯通信端末９は、メモリ機能を備えた携帯電話や等の通信端末であり、電磁誘導方式または電波方式のリーダーライター装置によりデータを読み取り書き込みすることができる記録装置である。尚、記録装置は、上記非接触式の記録装置に代えて接触式の例えば、磁気式のリーダーライター装置によりデータを読み取り書き込みすることができる磁気カード７としてもよい。この場合に磁気データを書き込み読み取りするリーダーライター装置が用いられる。
【００６２】
店舗装置６は、非接触式のリーダーライター装置６３を備えてなり、顧客が保有する記録装置８、９の記録方式により磁誘導方式、または電波方式によりデータ通信をする装置であり通信回路とアンテナを有している。リーダーライター装置６３は、記録装置８、９に来店予告情報を書き込み、また、これら記録装置８、９に記録された来店予告情報を読み出すようになっている。また、店舗装置６は、来店予告日と来店事実を確認した日付（来店予告情報を読み出した日）を照合する照合手段、特典付与手段またはペナルティ付与手段として機能するＣＰＵ６４を備えている。またこの店舗装置６には、来店予告手段としての次回来店予告日を入力するテンキーまたはパネルタッチ式入力装置等の来店予告情報入力装置６２、顧客が来店予告日を選択するカレンダーの他、特売日情報や、広告情報などを出力するモニター６１が接続されている。尚、店舗装置６は必要に応じて、システム１および１２の如く、情報をデータベース３１、ＣＰＵ４１、ＲＡＭ４２を備えたサーバー３に情報伝達可能に接続し、各記録装置に記録したものと同じデータをデータベース３１に蓄積して情報を管理するようにしてもよい。
【００６３】
店舗装置６のリーダーライター装置６３は、記録装置８、９が所定の読み取り位置にセットされると該記録装置８または９を認識する。そして記録装置８、９がセットされた状態で来店予告日を来店予告情報入力装置６２から入力されると、リーダーライター装置６３は、リーダーライター装置６３記録装置８、９との間でデータ通信を行い、記録装置８、９のメモリに来店予告情報を記憶する。また、記録装置８、９が所定の読み取り位置にセットされると店舗装置６は、記録装置８、９との間でデータ通信を行い、記録されている来店予告情報を読み出す。また、ＣＰＵ６４は、来店予告情報の読み出しがあった場合には、読み出された来店予告情報の日付と読み出しにより来店事実が確認された日付（例えば本日）が一致するか、一致しないかを演算する照合手段を有している。この照合手段は店舗装置６において来店予告情報読み出した日を確認するカレンダー装置、または時計装置と接続されている。
【００６４】
さらに、ポイント付与手段が、商品またはサービスの購入に使うことのできる特典ポイントを加算する設定のシステム１３において、ＣＰＵ６４は、照合手段により来店予告情報の日付読み出しにより来店事実が確認された日付（例えば本日）が一致する結果が得られたことを条件として、記録装置８、９に確保される、または確保されているポイントテーブルに所定の特典ポイントを加算するポイント加算手段を有している。また、ポイント加算手段とともに、または、ポイント加算手段に代えて、照合手段により来店予告情報の日付と確認された日付が一致する結果が得られたことを条件として、記録装置８、９のポイントテーブルの特典ポイントに乗じられるポイント加算率をより大きな乗数に変動させるポイント加算率変動手段を有している。このポイント加算率変動手段は、所定回数を超えて来店した顧客のポイントテーブル毎に変動させてもよいし、来店予告の多い日または少ない日、あるいはあらかじめ設定した特売日など一定の期間変動させてもよい。
【００６５】
さらに、ペナルティ付与手段が設定可能なシステム１３において、ペナルティ付与手段は、商品またはサービスの購入に使うことのできる特典ポイントを減算する設定になっている。ＣＰＵ６４は、照合手段により来店予告情報の日付と読み出しにより来店事実が確認された日付（例えば本日）が一致しないこと、および読み出しにより来店事実が確認された日付が来店予告情報の日付を過ぎていることを条件として、記録装置８、９のポイントテーブルから所定の特典ポイントを減算するポイント減算手段を有している。また、ポイント減算手段とともに、または、ポイント減算手段に代えて、照合手段により来店予告情報の日付と来店事実確認手段により確認された日付が一致しないこと、および、来店事実確認手段により確認された日付が来店予告情報の日付を過ぎていることを条件として、記録訴追８、９のポイントテーブルの特典ポイントに乗じられるポイント加算率をより小さな乗数に変動させるポイント加算率変動手段を有している。尚、このペナルティ付与手段の設定は、解除することができる。
【００６６】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、顧客ＩＤに対応する価格テーブルの価格を店舗装置２や不図示のＰＯＳやレジスターに伝達するようになっている。ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００６７】
システム１３における処理のフローチャートを図７に示す。顧客が来店し、記録装置８を店舗装置６の所定位置にセットすると店舗装置６が認識手段により認識する。来店予告情報入力装置２２より次回以降の来店予告日（例えば、２０１０年７月１日）が入力されると入力された情報は、店舗装置６のリーダーライター装置６３により記録装置８のメモリに書き込まれる（Ｓ０）。ここまでが、来店予告段階である。
【００６８】
次に、再度顧客が来店し記録装置８を店舗装置６の所定位置にセットすると店舗装置６のリーダーライター装置６３は記録されている来店予告日（２０１０年７月１日）を読み出す（Ｓ１）。
【００６９】
次に、店舗装置６のＣＰＵ６４は、該顧客の来店予告日（２０１０年７月１日）と該来店予告日が読み出された日（例えば、本日）の日付が一致するか一致しないかを照合手段で演算する（Ｓ２）。
【００７０】
照合手段による演算結果が一致（本日が２０１０年７月１日：Ｙｅｓ）の場合には、ＣＰＵ６４は、ポイント加算手段により、加算ポイントが算出されリーダーライター装置６３により記録装置８に確保されるまたは確保されているメモリのポイントテーブルに所定のポイント（例えば１ポイント）を加算する情報を書き込む（Ｓ３）。
【００７１】
また、照合手段による演算結果が不一致（Ｎｏ）の場合には、ＣＰＵ６４は、来店予告日が読み出された日（例えば、本日）の日付が該顧客の来店予告日（２０１０年７月１日）を過ぎているか照合する（Ｓ４）。来店予告日を過ぎていない（Ｎｏ）場合には処理は終了する。
【００７２】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００７３】
ペナルティを与えるルールにしている場合（Ｙｅｓ）の場合には、ＣＰＵ６４は、ポイント減算手段により、減算ポイントが算出され、リーダーライター装置６３により記録装置８のメモリのポイントテーブルから所定のポイント（例えば１ポイント）が減算される（Ｓ６）。以上が来店予告から来店事実を認定し所定の特典またはペナルティを与えるシステムのフローである。
【００７４】
上記各システム１、１２、１３はそれぞれ別個のシステムとして説明したが、これらのシステムを組み合わせてシステムを構築してもよい。例えばシステム１に顧客端末２５による来店予告情報入力手段を備えたシステム１２と、記録装置７、８、９に情報を読み取り書き込みする店舗装置６を備えたシステム１３を備えてなる複合システムとしてもよい。
【００７５】
また、来店予告日や来店事実認定の単位は日としたが、該単位は日時、週、月、年であってもよく任意に定められる。また、来店事実の認定は、顧客が来店して顧客識別子の入力や記録装置からの読み出し等により来店事実を確認する例を説明したが、来店事実の確認は顧客が来店して商品またはサービスを購入した日であってもよい。また、来店事実の確認は、実在の店舗に来店した日に限られず、店舗装置２に代えて顧客端末２５インターネット上の仮想店舗に来店して商品またはサービスを購入した日にしてもよい。この場合来店の確認はサーバー３へのログインや購入行為をしたことによりなされる。
【００７６】
このようなシステムは、種々の店舗で用いることができる。例えばスーパーマーケットやデパート等の小売店で利用する場合には、顧客の来店予告が多い日に商品の仕入れを多くしたり、また来店予告に基づいて特売日の設定をすることができる。またアミューズメント施設等で用いる場合には、顧客の来店予告に基づいて当たりを多く出す特売日を設定することができる。
【符号の説明】
【００７７】
１    顧客来店促進システム
１２  顧客来店促進システム
１３  顧客来店促進システム
２    店舗装置
２１  モニター
２２  来店予告情報入力装置
２３  識別子入力装置
２４  通信装置
２５  顧客端末
３    サーバー
３１  データベース
４１  ＣＰＵ
４２  ＲＡＭ
５１  カード
５２  カード
５３  カード
６    店舗装置
６１  モニター
６２  来店予告情報入力装置
６３  リーダーライター装置
６４  ＣＰＵ
７    記録装置（磁気カード）
８    記録装置（ＲＦＩＤタグ内蔵カード）
９    記録装置（携帯通信端末）
【図１】
2012022441.tif 000003
【図２】
2012022441.tif 000004
【図３】
2012022441.tif 000005
【図４】
2012022441.tif 000006
【図５】
2012022441.tif 000007
【図６】
2012022441.tif 000008
【図７】
2012022441.tif 000009
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
顧客毎に付与される顧客識別子と、顧客識別子を入力する顧客識別子入力装置と、少なくとも前記顧客が当該日以降に来店を予定する日の情報を含む来店予告情報を入力する来店予告装置と、中央演算処理装置を有するとともにデータベースと連携するサーバーと、データベースに構築される日付テーブルおよびポイントテーブルと、顧客識別子入力装置および前記来店予告装置と前記サーバー間で情報伝達する伝達装置とを有し、
前記顧客識別子が顧客識別子入力装置より入力されるとともに来店予告装置により前記来店予告情報が入力されると前記顧客識別子および前記来店予告情報をサーバーに伝達する手段と、前記中央演算処理装置において、前記伝達手段により前記顧客識別子および来店予告情報が伝達されると前記日付テーブルにおける前記来店予告情報に含まれる来店を予定する日に対応する日のテーブルに対して前記伝達された顧客識別子を関連づける手段とを有する来店予告段階と、
前記中央演算処理装置において、前記伝達手段により前記顧客識別子が伝達されると、前記中央演算処理装置と連携して日を計測しているカレンダー装置または時計装置により前記顧客識別子が伝達された当該日（本日）を特定する手段と、前記顧客識別子を鍵にして前記日付テーブルから前記顧客識別子が関連づけられている日を抽出する手段と、前記カレンダー装置または前記時計装置により特定された当該日が前記日付テーブルより抽出された日と一致するか否かを照合する照合手段とを有する照合段階と、
前記照合手段による日の照合結果が一致するときには、前記顧客識別子を鍵にして前記顧客識別子に対応する前記ポイントテーブルに対して所定の特典ポイントを加算し、および/または特典ポイントの加算率を増加させる特典付与手段を有する特典付与段階とからなり、
顧客が当該日以降来店を予定する日を含む来店予告情報を入力すると、前記顧客識別子と前記来店予告情報は前記サーバーに伝達され、前記顧客識別子が前記来店予告情報に対応する日付テーブルに関連づけられるとともに、前記顧客識別子が伝達されたとき当該日がカレンダー装置または時計装置により特定されるとともに、前記顧客識別子を鍵にして抽出される前記日付テーブルの日を抽出し、当該日と前記日付テーブルから抽出された日とが一致するか一致しないかを照合し、照合結果が一致するときには、前記顧客識別子を鍵にして抽出される前記顧客識別子に対応する前記ポイントテーブルに所定のポイントを加算し、および/または特典ポイントの加算率を増加させることを特徴とする顧客来店促進システム。
【請求項２】
顧客識別子が格納されるメモリ機能を有する記録装置と、該記憶装置のメモリ部に構築される来店予告情報記憶領域およびポイントテーブル記憶領域と、前記顧客が当該日以降に来店を予定する日の情報を含む来店予告情報を入力する来店予告装置と、前記記録装置から情報を読み出すとともに前記記録装置に情報を書き込むリーダーライター装置と、前記来店予告装置とリーダーライター装置と連携される中央演算処理装置とを有し、
前記中央演算処理装置において、前記記憶装置が前記リーダーライター装置との間で情報伝達可能な位置にセットされると前記記憶装置を認識する手段と、前記来店予告装置により前記来店予告情報が入力されると前記来店予告情報を前記記憶装置の来店予告情報記憶領域に書き込む手段とを有する来店予告段階と、
前記中央演算処理装置において、前記記憶装置が前記リーダーライター装置との間で情報伝達可能な位置にセットされると前記記憶装置から前記来店予告情報を読み出す手段と、前記中央演算処理装置と連携して日を計測しているカレンダー装置または時計装置により前記記憶装置から前記来店予告情報が読み出された当該日（本日）を特定する手段と、前記カレンダー装置または前記時計装置により特定された当該日が前記記録装置より読み出された来店予告情報の日と一致するか否かを照合する照合手段とを有する照合段階と、
前記照合手段による日の照合結果が一致するときには、前記記録装置に構築されたポイントテーブルに対して所定の特典ポイントを加算し、および/または特典ポイントの加算率を増加させる特典付与手段を有する特典付与段階とからなり、
顧客が当該日以降来店を予定する日を含む来店予告情報を入力すると、前記来店予告情報は前記記憶装置に構築される来店予告情報領域に記録され、前記記憶装置から前記来店予告情報が読み出されたとき当該日がカレンダー装置または時計装置により特定されるとともに、当該日と前記記録装置から読み出された日とが一致するか一致しないかを照合し、照合結果が一致するときには、前記記録装置に構築されるポイントテーブルに所定のポイントを加算し、および/または特典ポイントの加算率を増加させることを特徴とする顧客来店促進システム。
【請求項３】
特典付与段階において、前記特定された当該日が来店予告情報の日を過ぎているか否かを照合する手段を有し、前記照合手段による照合結果が一致せず、かつ、前記特定された当該日（本日）が来店予告情報の日を過ぎていることを条件として、前記ポイントテーブルに対して所定のポイントを減算するポイント減算手段および/またはポイント加算率を減少させるペナルティ付与手段を有することを特徴とする請求項１または請求項２に記載の顧客来店促進システム。
【請求項４】
特典付与段階において、ペナルティ付与手段の稼働・非稼働を設定する手段と、ペナルティ付与手段が稼働しているか否かを判断する手段とを有し、前記照合手段による照合結果が一致せず、前記特定された当該日（本日）が来店予告情報の日を過ぎ、かつ、ペナルティを付与手段が稼働していることを条件として、前記ポイントテーブルに対して所定のポイントを減算するポイント減算手段および/またはポイント加算率を減少させるペナルティ付与手段を有することを特徴とする請求項１乃至請求項３のいずれかに記載の顧客来店促進システム。
【請求項５】
前記来店予告装置は、顧客が選択する次回以降の来店日をカレンダー表示から選択して入力する入力装置であることを特徴とする請求項１乃至請求項４のいずれかに記載の顧客来店促進システム。
【請求項６】
前記顧客識別子入力装置は、識別番号を入力するテンキー装置若しくはタッチパネル装置、または、バーコード、二次元バーコード、磁気データ、電子データを読み取るリーダー装置であることを特徴とする請求項１または請求項３乃至請求項５のいずれかに記載の顧客来店促進システム。
【請求項７】
前記記録装置は、顧客が保有する磁気カード、または、アンテナ部を有するＲＦＩＤタグ若しくは携帯通信端末であって、前記リーダーライター装置は、前記磁気カードに対して磁気的にデータを読み書きする装置、または前記ＲＦＩＤタグ若しくは前記携帯通信端末に無線通信によりデータを読み書きする装置であることを特徴とする請求項２乃至請求項６のいずれかに記載の顧客来店促進システム。
【手続補正２】
【補正対象書類名】明細書
【補正対象項目名】全文
【補正方法】変更
【補正の内容】
【発明の詳細な説明】
【技術分野】
【０００１】
本発明は、顧客来店促進システムに関し、顧客が所定の要件を満たすことにより顧客への特典を付与することを動機付けとして顧客の来店を促進させるためのシステムである。
【背景技術】
【０００２】
従来より、顧客が保有する店舗のサービスポイントカードやサービススタンプカードに、顧客が購入する商品またはサービスの額により所定の数のサービススタンプを押印したり、サービスポイントを加算する等して、顧客が来店するための動機付けを行うことがあった。
【０００３】
しかしながら、これらは顧客が来店するための多少の動機付けになるものではあるが、顧客側にとっては、一般的に全ての顧客に一律のポイントが付与されるため次回来店するための強い動機付けになるとはいえなかった。また、店舗側は、顧客が次回来店するかどうか、特に、次はいつ頃顧客が来店するかについての情報を得ることができなかった。
【０００４】
例えば、特許文献１記載の発明は、顧客の過去の来店実績と連動して、商品の値引きサービスをするシステムである。また特許文献２記載の発明は、顧客が購買の意思を示したとき、その商品の将来の入荷の可能性が確認可能な場合、販売価格の割引や、商品券またはそれに類するポイントの付与をする販売形態をとり、売買契約を成立させる販売管理方法である。特許文献３記載の発明は、顧客の商品買い上げ情報と、顧客の属性情報に基づき提供されるサービスを選択するシステムである。特許文献４記載の発明は、予め設定された期間内においてより多く商品を購入した顧客に対しては、より大きい特典を付与する特典付与管理システムである。
【特許文献１】特開２０００−３０１５３号公報
【特許文献２】特開２００７−１６４７４３号公報
【特許文献３】特開２００７−１０９１６８号公報
【特許文献４】特開２００４−２２０４２６号公報
【発明の開示】
【発明が解決しようとする課題】
【０００５】
そこで本願発明は、顧客側にとっては次回以降の来店のための強い動機付けとなるシステムであるとともに、店舗側にとっては、顧客の来店を促すとともに、次回以降の顧客の来店の予測情報を得ることができるシステムを提供することを目的とする。
【課題を解決するための手段】
【０００６】
上記目的を達成するため本発明の顧客来店促進システムは、顧客毎に付与される顧客識別子と、顧客識別子を入力する顧客識別子入力装置と、少なくとも前記顧客が当該日以降に来店を予定する日の情報を含む来店予告情報を入力する来店予告装置と、中央演算処理装置を有するとともにデータベースと連携するサーバーと、データベースに構築される日付テーブルおよびポイントテーブルと、顧客識別子入力装置および前記来店予告装置と前記サーバー間で情報伝達する伝達装置とを有し、
前記顧客識別子が顧客識別子入力装置より入力されるとともに来店予告装置により前記来店予告情報が入力されると前記顧客識別子および前記来店予告情報をサーバーに伝達する手段と、前記中央演算処理装置において、前記伝達手段により前記顧客識別子および来店予告情報が伝達されると前記日付テーブルにおける前記来店予告情報に含まれる来店を予定する日に対応する日のテーブルに対して前記伝達された顧客識別子を関連づける手段とを有する来店予告段階と、
前記中央演算処理装置において、前記伝達手段により前記顧客識別子が伝達されると、前記中央演算処理装置と連携して日を計測しているカレンダー装置または時計装置により前記顧客識別子が伝達された当該日（本日）を特定する手段と、前記顧客識別子を鍵にして前記日付テーブルから前記顧客識別子が関連づけられている日を抽出する手段と、前記カレンダー装置または前記時計装置により特定された当該日が前記日付テーブルより抽出された日と一致するか否かを照合する照合手段とを有する照合段階と、
前記照合手段による日の照合結果が一致するときには、前記顧客識別子を鍵にして前記顧客識別子に対応する前記ポイントテーブルに対して所定の特典ポイントを加算し、および/または特典ポイントの加算率を増加させる特典付与手段を有する特典付与段階とからなり、
顧客が当該日以降来店を予定する日を含む来店予告情報を入力すると、前記顧客識別子と前記来店予告情報は前記サーバーに伝達され、前記顧客識別子が前記来店予告情報に対応する日付テーブルに関連づけられるとともに、前記顧客識別子が伝達されたとき当該日がカレンダー装置または時計装置により特定されるとともに、前記顧客識別子を鍵にして抽出される前記日付テーブルの日を抽出し、当該日と前記日付テーブルから抽出された日とが一致するか一致しないかを照合し、照合結果が一致するときには、前記顧客識別子を鍵にして抽出される前記顧客識別子に対応する前記ポイントテーブルに所定のポイントを加算し、および/または特典ポイントの加算率を増加させることを特徴とする。
【０００７】
顧客識別子が格納されるメモリ機能を有する記録装置と、該記憶装置のメモリ部に構築される来店予告情報記憶領域およびポイントテーブル記憶領域と、前記顧客が当該日以降に来店を予定する日の情報を含む来店予告情報を入力する来店予告装置と、前記記録装置から情報を読み出すとともに前記記録装置に情報を書き込むリーダーライター装置と、前記来店予告装置とリーダーライター装置と連携される中央演算処理装置とを有し、
前記中央演算処理装置において、前記記憶装置が前記リーダーライター装置との間で情報伝達可能な位置にセットされると前記記憶装置を認識する手段と、前記来店予告装置により前記来店予告情報が入力されると前記来店予告情報を前記記憶装置の来店予告情報記憶領域に書き込む手段とを有する来店予告段階と、
前記中央演算処理装置において、前記記憶装置が前記リーダーライター装置との間で情報伝達可能な位置にセットされると前記記憶装置から前記来店予告情報を読み出す手段と、前記中央演算処理装置と連携して日を計測しているカレンダー装置または時計装置により前記記憶装置から前記来店予告情報が読み出された当該日（本日）を特定する手段と、前記カレンダー装置または前記時計装置により特定された当該日が前記記録装置より読み出された来店予告情報の日と一致するか否かを照合する照合手段とを有する照合段階と、
前記照合手段による日の照合結果が一致するときには、前記記録装置に構築されたポイントテーブルに対して所定の特典ポイントを加算し、および/または特典ポイントの加算率を増加させる特典付与手段を有する特典付与段階とからなり、
顧客が当該日以降来店を予定する日を含む来店予告情報を入力すると、前記来店予告情報は前記記憶装置に構築される来店予告情報領域に記録され、前記記憶装置から前記来店予告情報が読み出されたとき当該日がカレンダー装置または時計装置により特定されるとともに、当該日と前記記録装置から読み出された日とが一致するか一致しないかを照合し、照合結果が一致するときには、前記記録装置に構築されるポイントテーブルに所定のポイントを加算し、および/または特典ポイントの加算率を増加させることを特徴とする。
【０００８】
特典付与段階において、前記特定された当該日が来店予告情報の日を過ぎているか否かを照合する手段を有し、前記照合手段による照合結果が一致せず、かつ、前記特定された当該日（本日）が来店予告情報の日を過ぎていることを条件として、前記ポイントテーブルに対して所定のポイントを減算するポイント減算手段および/またはポイント加算率を減少させるペナルティ付与手段を有することを特徴とする。
【０００９】
特典付与段階において、ペナルティ付与手段の稼働・非稼働を設定する手段と、ペナルティ付与手段が稼働しているか否かを判断する手段とを有し、前記照合手段による照合結果が一致せず、前記特定された当該日（本日）が来店予告情報の日を過ぎ、かつ、ペナルティを付与手段が稼働していることを条件として、前記ポイントテーブルに対して所定のポイントを減算するポイント減算手段および/またはポイント加算率を減少させるペナルティ付与手段を有することを特徴とする。
【００１０】
前記来店予告装置は、顧客が選択する次回以降の来店日をカレンダー表示から選択して入力する入力装置であることを特徴とする。
【００１１】
前記顧客識別子入力装置は、識別番号を入力するテンキー装置若しくはタッチパネル装置、または、バーコード、二次元バーコード、磁気データ、電子データを読み取るリーダー装置であることを特徴とする。
【００１２】
前記記録装置は、顧客が保有する磁気カード、または、アンテナ部を有するＲＦＩＤタグ若しくは携帯通信端末であって、前記リーダーライター装置は、前記磁気カードに対して磁気的にデータを読み書きする装置、または前記ＲＦＩＤタグ若しくは前記携帯通信端末に無線通信によりデータを読み書きする装置であることを特徴とする。
【発明の効果】
【００１３】
本願発明の顧客来店促進システムは、顧客の次回以降の来店予定または購買予定の日、日時、または、来店若しくは購買までの期間の少なくともいずれかの情報を含む来店予告情報を入力する来店予告手段と、顧客の前記来店予告情報を特定する手段と、顧客の来店予告情報の日、日時、または来店若しくは購買までの期間と該顧客の来店または購買が確認された日または日時または確認までの期間の一致または不一致を照合する照合手段と、前記照合手段により前記来店予告情報の日、日時、または来店若しくは購買までの期間と該顧客の来店または購買が確認された日または日時または確認までの期間とが一致することを条件として該顧客に特典を付与する特典付与手段とを備えてなり、顧客が来店予告情報どおりに来店した場合には、該顧客に特典を付与することにより、顧客側は、自己が来店予告した日に来店または商品やサービスの購入をすればより高い特典を得ることができ、来店のための強い動機付けを得ることができる。店舗側にとっては、顧客の来店を促して顧客を獲得することができ、次回以降の顧客の来店予測情報を得ることができるため特売日の設定や、在庫の管理に役立てることができる。
【００１４】
また本発明の顧客来店促進システムは、顧客の次回以降の来店予定または購買予定の日、日時、または、来店若しくは購買までの期間の少なくともいずれかの情報を含む来店予告情報を入力する来店予告手段と、顧客識別子を入力する顧客識別子入力手段と、入力された情報をデータベースとの間で伝達する伝達手段と、前記来店予告情報を前記顧客識別子と関連づけて記憶する記憶手段と、前記顧客識別子に対応する前記来店予告情報を抽出する抽出手段と、抽出された前記来店予告情報の日、日時、または来店若しくは購買までの期間と顧客識別子入力手段により顧客識別子が入力された日、日時または確認までの期間との一致または不一致を照合する照合手段と、前記照合手段により前記来店予告情報の日、日時、または来店若しくは購買までの期間と顧客識別子入力手段により顧客識別子が入力された日、日時または入力までの期間が一致することを条件として前記顧客に特典を付与する特典付与手段とを備えてなり、顧客が来店予告情報どおりに来店した場合には、該顧客に特典を付与することにより、顧客識別子とデータベースでシステムを構築するため、顧客側は固有の識別子を保有するだけでシステムに参加することができ、店舗側は各種情報を一元的に管理することができる。
【００１５】
また本発明の顧客来店促進システムは、顧客の次回以降の来店予定または購買予定の日、日時、または、来店若しくは購買までの期間の少なくともいずれかの情報を含む来店予告情報を入力する来店予告手段と、顧客の記録装置を認識する記録装置認識手段と、前記記録装置に前記来店予告情報を記録する記録手段と、前記記録装置に記録された前記来店予告情報を読み出す読み出し手段と、前記読み出し手段により読み出された前記来店予告情報の日、日時、または来店若しくは購買までの期間と前記読み出し手段により前記来店予告情報を読み出した日、日時または読み出しまでの期間の一致または不一致を照合する照合手段と、前記照合手段により前記来店予告情報の日、日時、または来店若しくは購買までの期間と前記来店予告情報を読み出した日、日時または読み出しまでの期間が一致することを条件として前記顧客に特典を付与する特典付与手段とを備えてなり、顧客が来店予告情報どおりに来店した場合には、該顧客に特典を付与することにより、顧客の記録装置に情報を記録することでシステムを運用するため、店舗側は、ネットワークやサーバー等のシステムを構築しなくてもよい。
【００１６】
また、上述の本願発明の顧客来店促進システムにおいて、前記照合手段による照合結果が一致しないこと、および/または、前記照合手段の照合結果が演算された日、日時または期間が、来店予告情報の日、日時、または、来店若しくは購買までの期間を過ぎていることを条件としてペナルティを付与するペナルティ付与手段を備えてなることにより、顧客はペナルティを嫌い、さらなる顧客の来店を促すことができる。
【図面の簡単な説明】
【００１７】
【図１】本願発明の第一の実施の形態を示すシステムの概略図。
【図２】本願発明の第二の実施の形態を示すシステムの概略図。
【図３】本願発明の第三の実施の形態を示すシステムの概略図。
【図４】本願発明のシステムのフローチャート。
【図５】本願発明のシステムのフローチャート。
【図６】本願発明のシステムのフローチャート。
【図７】本願発明のシステムのフローチャート。
【発明を実施するための形態】
【００１８】
本願発明の最も簡易かつ、一般的な顧客来店促進システムは、顧客の次回以降の来店予定または購買予定の日、日時、または来店または購買までの期間の少なくともいずれかの情報を含む来店予告情報を入力する来店予告手段と、顧客を特定する顧客特定手段と、該顧客の来店予告情報を特定する手段と、前記来店予告情報の日と該顧客の来店事実が確認された日の一致または不一致を照合する照合手段と、前記照合手段により前記来店予告情報の日、日時、または来店または購買までの期間と来店事実入力日または入力日時または入力までの期間が一致することを条件として前記顧客に特典を付与する特典付与手段とを備えてなるシステムである。
【００１９】
このシステムの処理を一般化したフローチャートを図４に示す。顧客が来店し、顧客の識別番号および顧客が前回予告した来店予告日（例えば２０１０年７月１日）をテンキー等により入力する（Ｓ１）。既に入力されている来店予告日（２０１０年７月１日）と、当該入力日（例えば本日）と一致しているかどうか照合手段は照合する（Ｓ２）。一致（Ｙｅｓ）の結果が算出されることを条件として特典付与手段は、特典を与える処理を行う（Ｓ３）。ここまでが基本的な処理である。また、不一致（Ｎｏ）との結果が算出されたことを条件として、来店予告日を過ぎているかどうか照合する（Ｓ４）。来店予告日を過ぎていない場合には（Ｎｏ）、処理は終了し、来店予告日を過ぎている場合には（Ｙｅｓ）、ペナルティを与える設定にしているかどうか照合する（Ｓ５）。ペナルティを与える設定にしていない場合には（Ｎｏ）、処理は終了し、ペナルティを与える設定にしている場合には（Ｙｅｓ）、ペナルティの処理を行う（Ｓ６）。
【００２０】
本願発明の第一の実施の形態の顧客来店促進システムを図１に示す。図１に示すシステム１は、店舗に設置される店舗装置２、店舗または本部に設置されるＣＰＵ４１、ＲＡＭ４２、データベース３１等が搭載または接続されているサーバー３、顧客が保有するカード５１〜５３（５Ｘ）に記載、記録されている顧客ＩＤとで構成されており、店舗装置２とサーバー３は情報伝達可能にケーブル、専用回線、またはインターネット等の通信網により接続されている。このシステム１は、顧客が店舗に設置してある店舗装置２において来店予告情報を入力し、来店日に店舗装置２で来店事実を確認するために顧客識別子を入力をし、これらの情報がサーバー３で処理されるシステムの例である。
【００２１】
顧客が保有するカード５１〜５３には、あらかじめ識別番号が磁気データにより記録されていて、たとえば１６桁の固有番号のごとき顧客ＩＤが付与されている。
【００２２】
店舗装置２には、来店予告手段としての次回来店予告日を入力するテンキーまたはパネルタッチ式入力装置等の来店予告情報入力装置２２、顧客識別子入力手段としての、磁気カードから顧客ＩＤを読み取るリーダー装置またはテンキー等の識別子入力装置２３、サーバー３との間で情報伝達をするモデム等の通信装置２４が接続されている。また店舗装置２にはモニター２１が接続されている。システム１においてこれらの装置は、一つの店舗装置２に構築されており、テンキー、リーダー装置、パネルタッチ式入力装置は各入力手段を兼ねるように構築されている。尚、これらの各手段は個別の装置として構築してもよい。また店舗装置２に接続されるモニター２１には、顧客が来店予告日を選択するカレンダーの他、特売日情報や、広告情報などを出力するようになっている。これらの情報はサーバー３のデータベース３１から伝達するようにしてもよい。尚、店舗装置２には不図示のＰＯＳやレジスターを搭載して、商品またはサービスの購入の際に各種情報を入力可能にしてもよい。さらに、カード５１〜５３表面に来店予告日を印字する印字装置を備えてもよい。
【００２３】
このシステム１における店舗装置２の識別子入力装置２３はカード５１〜５３を挿入するとカード５１〜５３に付された磁気データからなる顧客ＩＤを読み取るようになっている。また、来店予告情報入力装置２２は、モニター２１に表示されるその日以降のカレンダーから任意の来店予告日を選択的に入力できるようになっている。そして通信装置２４は、顧客ＩＤと入力された来店予告日をサーバー３に伝達するようになっている。尚、これらの装置に顧客ＩＤを読み取らせたり、来店予告や来店に関する情報を入力する作業は、顧客本人が行ってもよいし、店舗の店員が行ってもよい。
【００２４】
サーバー３は、データベース３１とＣＰＵ４１、ＲＡＭ４２等が搭載または相互にデータ通信可能に接続されている演算装置であって、店舗装置２と情報伝達可能な状態になっている。データベース３１には、少なくとも日付テーブルと顧客のポイントテーブルが格納されている。ＣＰＵ４１は、店舗装置２より来店予告情報と顧客ＩＤの伝達があると、来店予告情報に該当する日付テーブルの個所に、顧客ＩＤに対応するフラグをたてるようになっている。また、ＣＰＵ４１は、店舗装置２から顧客ＩＤの伝達があった場合には、この顧客ＩＤを鍵にして対応する来店予告情報の日付を抽出する手段を有している。また、ＣＰＵ４１は、抽出された来店予告情報の日付と来店時事実を確認した日（顧客ＩＤの伝達がされた日）が一致するか、一致しないかを演算する照合手段を有している。この照合手段は店舗装置２から顧客ＩＤの伝達があった日を確認するためにカレンダー装置、または時計装置と接続されている。尚、カレンダー装置、または時計装置は、サーバー３側に備えずに店舗装置２側に備えてもよく、この場合、顧客ＩＤとともに確認された日付がサーバー３へ伝達される。
【００２５】
さらに、システム１において、ポイント付与手段は、商品またはサービスの購入に使うことのできる特典ポイントを加算する設定であり、ＣＰＵ４１は、照合手段により来店予告情報の日付と顧客ＩＤの伝達がされた日付（例えば、本日）が一致する結果が得られたことを条件として、顧客ＩＤに対応するポイントテーブルに所定の特典ポイントを加算するポイント加算手段を有している。また、ポイント加算手段とともに、または、ポイント加算手段に代えて、照合手段により来店予告情報の日付と顧客ＩＤの伝達がされた日付が一致する結果が得られたことを条件として、顧客ＩＤに対応するポイントテーブルの特典ポイントに乗じられるポイント加算率をより大きな乗数に変動させるポイント加算率変動手段を有している。このポイント加算率変動手段は、所定回数を超えて来店した顧客のポイントテーブル毎に変動させてもよいし、来店予告の多い日または少ない日、あるいはあらかじめ設定した特売日など一定の期間変動させてもよい。
【００２６】
さらに、ペナルティ付与手段が設定可能なシステム１において、ペナルティ付与手段は、商品またはサービスの購入に使うことのできる特典ポイントを減算する設定になっている。ＣＰＵ４は、照合手段により来店予告情報の日付と顧客ＩＤの伝達がされた日付（例えば、本日）が一致しないこと、および、該日付が来店予告情報の日付を過ぎていることを条件として、顧客ＩＤに対応するポイントテーブルから所定の特典ポイントを減算するポイント減算手段を有している。また、ポイント減算手段とともに、または、ポイント減算手段に代えて、照合手段により来店予告情報の日付と来店事実確認手段により確認された日付が一致しないこと、および、顧客ＩＤの伝達がされた日付（例えば、本日）が来店予告情報の日付を過ぎていることを条件として、顧客ＩＤに対応するポイントテーブルの特典ポイントに乗じられるポイント加算率をより小さな乗数に変動させるポイント加算率変動手段を有している。尚、このペナルティ付与手段を動作させるか、動作させないかの設定は任意に選択することができる。
【００２７】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、価格テーブルの価格（例えばマイナス１００円）を店舗装置２や不図示のＰＯＳやレジスターに伝達し、購入物に対する価格に反映するようになっている。これにより、例えば単価３００円の物が該顧客に対しては１００円引きの２００円で販売される。
【００２８】
尚、ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００２９】
尚、システム１に用いられるカード５１〜５３は磁気データを読み出す磁気式のカードであるが、顧客ＩＤを、識別番号、バーコード、二次元バーコード、電子データとし、これらを記載または記録したカードであってもよく、識別子入力装置２３は顧客ＩＤに対応する入力装置であってもよい。
【００３０】
システム１における処理のフローチャートを図５に示す。顧客が来店しカード５１を識別子入力装置２３に挿入すると、識別子入力装置２３が顧客ＩＤを読み取る、例えば、モニター２１に表示されたカレンダーを参照しながら来店予告情報入力装置２２より次回以降の来店予告日（例えば、２０１０年７月１日）が入力されると、入力された顧客ＩＤと来店予告情報は、通信装置２４を介してサーバー３へ伝達され、ＣＰＵ２４は、データベース３１の日付テーブルに該顧客ＩＤに対応するフラグを立てる（Ｓ０）。ここまでが、来店予告段階である。
【００３１】
次に顧客が来店した際に、顧客が来店しカード５１を識別子入力装置２３に挿入すると、顧客ＩＤを識別子入力装置２３が読み取る。そして、この顧客ＩＤはサーバー３に伝達される。サーバー３においてＣＰＵ４１は該顧客ＩＤを受信すると該顧客ＩＤを鍵にしてデータベース３１の日付テーブルに立てられたフラグに基づいて該顧客ＩＤに対応する来店予告日（２０１０年７月１日）を抽出する（Ｓ１）。
【００３２】
次に、サーバー３においてＣＰＵ４１は、顧客ＩＤがサーバー３に伝達された日（例えば、本日）を確認し、該顧客の来店予告日（２０１０年７月１日）と顧客ＩＤがサーバー３に伝達された日（例えば、本日）の日付が一致するか一致しないかを照合手段で演算する（Ｓ２）。ここまでが照合段階である。
【００３３】
照合手段による演算結果が一致（本日が２０１０年７月１日：Ｙｅｓ）の場合には、ＣＰＵ４１は、ポイント加算手段により、該顧客ＩＤを鍵にしてデータベース３１の該顧客のポイントテーブルに所定のポイント（例えば１ポイント）を加算する（Ｓ３）。ここまでが特典付与段階である。
【００３４】
また、照合手段による演算結果が不一致（Ｎｏ）の場合には、ＣＰＵ４１は、顧客ＩＤがサーバー３に伝達された日（例えば、本日）の日付が該顧客の来店予告日（２０１０年７月１日）を過ぎているか照合する（Ｓ４）。来店予告日を過ぎていない（Ｎｏ）場合には処理は終了する。
【００３５】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００３６】
ペナルティを与えるルールにしている場合（Ｙｅｓ）の場合には、ＣＰＵ４１は、ポイント減算手段により、該顧客ＩＤを鍵にしてデータベース３１の該顧客のポイントテーブルから所定のポイント（例えば１ポイント）を減算する（Ｓ６）。ここまでがペナルティ付与段階である。以上が来店予告から来店事実を確認して来店予告日と来店事実を確認した日を照合し、照合結果に応じて特典またはペナルティを与えるシステムのフローである。
【００３７】
本願発明の第二の実施の形態の顧客来店促進システムを図１に示す。図２に示す顧客来店促進システム１２は、店舗に設置されるモニター２１を有する店舗装置２、店舗または本部に設置されるＣＰＵ４１、ＲＡＭ４２、データベース３１等が搭載または接続されているサーバー３、顧客が保有するカード５１〜５３（５Ｘ）に記載、記録されている顧客ＩＤ、顧客が店舗外において操作する来店予告装置としての顧客端末２５とで構成されており、店舗装置２と顧客端末２５とサーバー３は情報伝達可能にケーブル、専用回線、またはインターネット等の通信網により接続されている。このシステム１は、顧客が保有する顧客端末２５において来店予告情報を入力し、来店日に店舗装置２で来店事実を確認するために顧客識別子を入力をし、これらの情報がサーバー３で処理されるシステムの例である。
【００３８】
顧客にはあらかじめ顧客ＩＤが付与されており、例えばこの顧客ＩＤはカード５１〜５３にたとえば１６桁の固有番号のごとき顧客ＩＤとして記載または記録されている。顧客端末２５は、顧客が保有するサーバー３と情報通信可能なコンピュータや携帯通信端末である。顧客はこの顧客端末２５から自己の顧客ＩＤを入力してサーバー３にログインし、該顧客端末２５のテンキーやタッチパネルから次回以降の来店予告日を入力できるようになっている。尚、このとき顧客端末２５のモニターに顧客が来店予告日を選択するカレンダーの他、特売日情報や、広告情報などを出力するようになっている。これらの情報はサーバー３のデータベース３１から伝達されるようになっている。
【００３９】
店舗装置２には、顧客識別子入力手段としての、磁気カードから顧客ＩＤを読み取るリーダー装置またはテンキー等の識別子入力装置２３、サーバー３との間で情報伝達をするモデム等の通信装置２４が接続されている。システム１２においてこれらの装置は、一つの店舗装置２に構築されており、テンキー、リーダーライター装置、パネルタッチ式入力装置は各手段における入力手段を兼用するように構築されている。尚、これらの各手段は個別の装置として構築してもよい。また店舗装置２には、システム１のように、来店予告情報入力装置２２を搭載してもよく、来店予告情報は、顧客端末２５および来店予告情報入力装置２２のいずれからも入力可能にしてもよい。尚、店舗装置２には不図示のＰＯＳやレジスターを搭載して、商品またはサービスの購入の際に各種情報を入力可能にしてもよい。さらに、カード５１表面に来店予告日を印字する印字装置を備えてもよい。
【００４０】
このシステム１において、店舗装置２の識別子入力装置２３は、顧客が保有する磁気式のカード５１〜５３から識別子入力装置２３により顧客ＩＤを読み取るようになっている。顧客が来店を報告するためにカード５１〜５３を識別子入力装置２３に挿入すると、識別子入力装置２３は顧客ＩＤを読み取るようになっており、通信装置２４は、該顧客ＩＤをサーバー３に伝達するようになっている。
【００４１】
サーバー３は、データベース３１とＣＰＵ４、ＲＡＭ４２等が搭載または相互にデータ通信可能に接続されている演算装置であって、顧客端末２５および店舗装置２と情報伝達可能な状態になっている。データベース３１には、少なくとも日付テーブルと顧客のポイントテーブルが格納されている。ＣＰＵ４は、顧客端末２５より来店予告情報と顧客ＩＤの伝達があると、来店予告情報に該当する日付テーブルの個所に、顧客ＩＤに対応するフラグをたてるようになっている。また、ＣＰＵ４１は、店舗装置２から顧客ＩＤの伝達があった場合には、この顧客ＩＤを鍵にして日付テーブルに立てられたフラグに基づいて該顧客ＩＤに対応する来店予告情報の日付を抽出する手段を有している。また、ＣＰＵ４１は、抽出された来店予告情報の日付と来店事実を確認した日付（顧客ＩＤの伝達がされた日付）が一致するか、一致しないかを演算する照合手段を有している。この照合手段は店舗装置２から顧客ＩＤの伝達があった日を確認するカレンダー装置、または時計装置と接続されている。尚、カレンダー装置、または時計装置は、サーバー３側に備えずに店舗装置２側に備えてもよく、この場合、顧客ＩＤとともに確認された日付がサーバー３へ伝達される。
【００４２】
さらに、システム１２において、ポイント付与手段は、商品またはサービスの購入に使うことのできる特典ポイントを加算する設定であり、ＣＰＵ４は、照合手段により来店予告情報の日付と顧客ＩＤの伝達がされた日付（例えば、本日）が一致する結果が得られたことを条件として、顧客ＩＤに対応するポイントテーブルに所定の特典ポイントを加算するポイント加算手段を有している。また、ポイント加算手段とともに、または、ポイント加算手段に代えて、照合手段により来店予告情報の日付と来店事実確認手段により確認された日付が一致する結果が得られたことを条件として、顧客ＩＤに対応するポイントテーブルの特典ポイントに乗じられるポイント加算率をより大きな乗数に変動させるポイント加算率変動手段を有している。このポイント加算率変動手段は、所定回数の来店事実確認毎に変動させてもよいし、特売日や特売月間等特定の日に変動させてもよい。
【００４３】
さらに、ペナルティ付与手段が設定可能なシステム１２において、ペナルティ付与手段は、商品またはサービスの購入に使うことのできる特典ポイントを減算する設定になっている。ＣＰＵ４１は、照合手段により来店予告情報の日付と顧客ＩＤの伝達がされた日付（例えば、本日）が一致しないこと、および、該日付が来店予告情報の日付を過ぎていることを条件として、顧客ＩＤに対応するポイントテーブルから所定の特典ポイントを減算するポイント減算手段を有している。また、ポイント減算手段とともに、または、ポイント減算手段に代えて、照合手段により来店予告情報の日付と顧客ＩＤの伝達がされた日付（例えば、本日）が一致しないこと、および、来店事実確認手段により確認された日付が来店予告情報の日付を過ぎていることを条件として、顧客ＩＤに対応するポイントテーブルの特典ポイントに乗じられるポイント加算率をより小さな乗数に変動させるポイント加算率変動手段を有している。尚、このペナルティ付与手段を動作させるか、動作させないかの設定は任意に選択することができる。
【００４４】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、顧客ＩＤに対応する価格テーブルの価格を店舗装置２や不図示のＰＯＳやレジスターに伝達するようになっている。ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００４５】
尚、システム１２に用いられるカード５１〜５３は磁気データを読み出すカードであるが、顧客ＩＤを識別番号、バーコード、二次元バーコード、電子データとし、これらを記載または搭載したカードであってもよく、顧客端末２５および識別子入力装置２３はこれらに対応する入力装置であってもよい。
【００４６】
システム１２における処理のフローチャートを図６に示す。顧客が操作する顧客端末２５から顧客ＩＤによりサーバー３にログインがされ、来店予告日、（例えば、２０１０年７月１日）が入力されると、入力された情報は、通信回線を介してサーバー３へ伝達され、ＣＰＵ４１は、データベース３１の日付テーブルに該顧客ＩＤに対応するフラグを立てる（Ｓ０）。ここまでが、来店予告段階である。
【００４７】
次に、顧客が来店しカード５１〜５３を識別子入力装置２３に挿入すると、識別子入力装置２３は顧客ＩＤを読み取る。そして、この顧客ＩＤはサーバー３に伝達され、サーバー３においてＣＰＵ４１は該顧客ＩＤを鍵にしてデータベース３１の日付テーブルから該顧客の来店予告日（２０１０年７月１日）を抽出する（Ｓ１）。
【００４８】
次に、サーバー３においてＣＰＵ４１は、顧客ＩＤがサーバー３に伝達された日（例えば、本日）を確認し、該顧客の来店予告日（２０１０年７月１日）と顧客ＩＤがサーバー３に伝達された日（例えば、本日）の日付が一致するか一致しないかを照合手段で演算する（Ｓ２）。ここまでが照合段階である。
【００４９】
照合手段による演算結果が一致（本日が２０１０年７月１日：Ｙｅｓ）の場合には、ＣＰＵ４１は、ポイント加算手段により、該顧客ＩＤを鍵にしてデータベース３１の該顧客のポイントテーブルに所定のポイント（例えば１ポイント）を加算する（Ｓ３）。ここまでが特典付与段階である。
【００５０】
また、照合手段による演算結果が不一致（Ｎｏ）の場合には、ＣＰＵ４１は、顧客ＩＤがサーバー３に伝達された日（例えば、本日）の日付が該顧客の来店予告日（２０１０年７月１日）を過ぎているか照合する（Ｓ４）。来店予告日を過ぎていない（Ｎｏ）場合には処理は終了する。
【００５１】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００５２】
ペナルティを与えるルールにしている場合（Ｙｅｓ）の場合には、ＣＰＵ４１は、ポイント減算手段により、該顧客ＩＤを鍵にしてデータベース３１の該顧客のポイントテーブルから所定のポイント（例えば１ポイント）を減算する（Ｓ６）。ここまでがペナルティ付与段階である。以上が来店予告から来店事実を確認して来店予告日と来店事実を確認した日を照合し、照合結果に応じての特典またはペナルティを与えるシステムのフローである。
【００５３】
本願発明の第三の実施の形態の顧客来店促進システムを図３に示す。図３に示す顧客来店促進システム１３は、店舗に設置される店舗装置６、非接触式の記録装置としてのＲＦＩＤタグ内蔵カード８または携帯通信端末９とで構成されており、このシステム１３は、顧客が店舗に設置してある店舗装置６において来店予告情報を入力すると店舗装置６がこの情報が顧客の保有する記録装置８、９に記録し、さらに実際の来店日に店舗装置６は、記録装置８、９を店舗装置６に認識させて記録されている情報を読み出すことにより来店事実を確認し、来店予告情報と実際の来店日の照合をして特典の付与等を行う、店舗装置２とこれらの記録装置８、９の間で処理されるシステムの例である。
【００５４】
顧客が保有するＲＦＩＤタグ内蔵カード８は、非接触型の記録装置でありメモリとアンテナを備えたパッシヴ型またはアクティヴ型のＲＦＩＤタグを内蔵したカードであって、該カードに対して電磁誘導方式または電波方式のリーダーライター装置によりデータを読み取り書き込みすることができる記録装置である。携帯通信端末９は、メモリ機能を備えた携帯電話や等の通信端末であり、電磁誘導方式または電波方式のリーダーライター装置によりデータを読み取り書き込みすることができる記録装置である。尚、記録装置は、上記非接触式の記録装置に代えて接触式の例えば、磁気式のリーダーライター装置によりデータを読み取り書き込みすることができる磁気カード７としてもよい。この場合に磁気データを書き込み読み取りするリーダーライター装置が用いられる。
【００５５】
店舗装置６は、非接触式のリーダーライター装置６３を備えてなり、顧客が保有する記録装置８、９の記録方式により磁誘導方式、または電波方式によりデータ通信をする装置であり通信回路とアンテナを有している。リーダーライター装置６３は、記録装置８、９に来店予告情報を書き込み、また、これら記録装置８、９に記録された来店予告情報を読み出すようになっている。また、店舗装置６は、来店予告日と来店事実を確認した日付（来店予告情報を読み出した日）を照合する照合手段、特典付与手段またはペナルティ付与手段として機能するＣＰＵ６４を備えている。またこの店舗装置６には、来店予告手段としての次回来店予告日を入力するテンキーまたはパネルタッチ式入力装置等の来店予告情報入力装置６２、顧客が来店予告日を選択するカレンダーの他、特売日情報や、広告情報などを出力するモニター６１が接続されている。尚、店舗装置６は必要に応じて、システム１および１２の如く、情報をデータベース３１、ＣＰＵ４１、ＲＡＭ４２を備えたサーバー３に情報伝達可能に接続し、各記録装置に記録したものと同じデータをデータベース３１に蓄積して情報を管理するようにしてもよい。
【００５６】
店舗装置６のリーダーライター装置６３は、記録装置８、９が所定の読み取り位置にセットされると該記録装置８または９を認識する。そして記録装置８、９がセットされた状態で来店予告日を来店予告情報入力装置６２から入力されると、リーダーライター装置６３は、リーダーライター装置６３記録装置８、９との間でデータ通信を行い、記録装置８、９のメモリに来店予告情報を記憶する。また、記録装置８、９が所定の読み取り位置にセットされると店舗装置６は、記録装置８、９との間でデータ通信を行い、記録されている来店予告情報を読み出す。また、ＣＰＵ６４は、来店予告情報の読み出しがあった場合には、読み出された来店予告情報の日付と読み出しにより来店事実が確認された日付（例えば本日）が一致するか、一致しないかを演算する照合手段を有している。この照合手段は店舗装置６において来店予告情報読み出した日を確認するカレンダー装置、または時計装置と接続されている。
【００５７】
さらに、ポイント付与手段が、商品またはサービスの購入に使うことのできる特典ポイントを加算する設定のシステム１３において、ＣＰＵ６４は、照合手段により来店予告情報の日付読み出しにより来店事実が確認された日付（例えば本日）が一致する結果が得られたことを条件として、記録装置８、９に確保される、または確保されているポイントテーブルに所定の特典ポイントを加算するポイント加算手段を有している。また、ポイント加算手段とともに、または、ポイント加算手段に代えて、照合手段により来店予告情報の日付と確認された日付が一致する結果が得られたことを条件として、記録装置８、９のポイントテーブルの特典ポイントに乗じられるポイント加算率をより大きな乗数に変動させるポイント加算率変動手段を有している。このポイント加算率変動手段は、所定回数を超えて来店した顧客のポイントテーブル毎に変動させてもよいし、来店予告の多い日または少ない日、あるいはあらかじめ設定した特売日など一定の期間変動させてもよい。
【００５８】
さらに、ペナルティ付与手段が設定可能なシステム１３において、ペナルティ付与手段は、商品またはサービスの購入に使うことのできる特典ポイントを減算する設定になっている。ＣＰＵ６４は、照合手段により来店予告情報の日付と読み出しにより来店事実が確認された日付（例えば本日）が一致しないこと、および読み出しにより来店事実が確認された日付が来店予告情報の日付を過ぎていることを条件として、記録装置８、９のポイントテーブルから所定の特典ポイントを減算するポイント減算手段を有している。また、ポイント減算手段とともに、または、ポイント減算手段に代えて、照合手段により来店予告情報の日付と来店事実確認手段により確認された日付が一致しないこと、および、来店事実確認手段により確認された日付が来店予告情報の日付を過ぎていることを条件として、記録訴追８、９のポイントテーブルの特典ポイントに乗じられるポイント加算率をより小さな乗数に変動させるポイント加算率変動手段を有している。尚、このペナルティ付与手段の設定は、解除することができる。
【００５９】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、顧客ＩＤに対応する価格テーブルの価格を店舗装置２や不図示のＰＯＳやレジスターに伝達するようになっている。ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００６０】
システム１３における処理のフローチャートを図７に示す。顧客が来店し、記録装置８を店舗装置６の所定位置にセットすると店舗装置６が認識手段により認識する。来店予告情報入力装置２２より次回以降の来店予告日（例えば、２０１０年７月１日）が入力されると入力された情報は、店舗装置６のリーダーライター装置６３により記録装置８のメモリに書き込まれる（Ｓ０）。ここまでが、来店予告段階である。
【００６１】
次に、再度顧客が来店し記録装置８を店舗装置６の所定位置にセットすると店舗装置６のリーダーライター装置６３は記録されている来店予告日（２０１０年７月１日）を読み出す（Ｓ１）。
【００６２】
次に、店舗装置６のＣＰＵ６４は、該顧客の来店予告日（２０１０年７月１日）と該来店予告日が読み出された日（例えば、本日）の日付が一致するか一致しないかを照合手段で演算する（Ｓ２）。
【００６３】
照合手段による演算結果が一致（本日が２０１０年７月１日：Ｙｅｓ）の場合には、ＣＰＵ６４は、ポイント加算手段により、加算ポイントが算出されリーダーライター装置６３により記録装置８に確保されるまたは確保されているメモリのポイントテーブルに所定のポイント（例えば１ポイント）を加算する情報を書き込む（Ｓ３）。
【００６４】
また、照合手段による演算結果が不一致（Ｎｏ）の場合には、ＣＰＵ６４は、来店予告日が読み出された日（例えば、本日）の日付が該顧客の来店予告日（２０１０年７月１日）を過ぎているか照合する（Ｓ４）。来店予告日を過ぎていない（Ｎｏ）場合には処理は終了する。
【００６５】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００６６】
ペナルティを与えるルールにしている場合（Ｙｅｓ）の場合には、ＣＰＵ６４は、ポイント減算手段により、減算ポイントが算出され、リーダーライター装置６３により記録装置８のメモリのポイントテーブルから所定のポイント（例えば１ポイント）が減算される（Ｓ６）。以上が来店予告から来店事実を認定し所定の特典またはペナルティを与えるシステムのフローである。
【００６７】
上記各システム１、１２、１３はそれぞれ別個のシステムとして説明したが、これらのシステムを組み合わせてシステムを構築してもよい。例えばシステム１に顧客端末２５による来店予告情報入力手段を備えたシステム１２と、記録装置７、８、９に情報を読み取り書き込みする店舗装置６を備えたシステム１３を備えてなる複合システムとしてもよい。
【００６８】
また、来店予告日や来店事実認定の単位は日としたが、該単位は日時、週、月、年であってもよく任意に定められる。また、来店事実の認定は、顧客が来店して顧客識別子の入力や記録装置からの読み出し等により来店事実を確認する例を説明したが、来店事実の確認は顧客が来店して商品またはサービスを購入した日であってもよい。また、来店事実の確認は、実在の店舗に来店した日に限られず、店舗装置２に代えて顧客端末２５インターネット上の仮想店舗に来店して商品またはサービスを購入した日にしてもよい。この場合来店の確認はサーバー３へのログインや購入行為をしたことによりなされる。
【００６９】
このようなシステムは、種々の店舗で用いることができる。例えばスーパーマーケットやデパート等の小売店で利用する場合には、顧客の来店予告が多い日に商品の仕入れを多くしたり、また来店予告に基づいて特売日の設定をすることができる。またアミューズメント施設等で用いる場合には、顧客の来店予告に基づいて当たりを多く出す特売日を設定することができる。
【符号の説明】
【００７０】
１    顧客来店促進システム
１２  顧客来店促進システム
１３  顧客来店促進システム
２    店舗装置
２１  モニター
２２  来店予告情報入力装置
２３  識別子入力装置
２４  通信装置
２５  顧客端末
３    サーバー
３１  データベース
４１  ＣＰＵ
４２  ＲＡＭ
５１  カード
５２  カード
５３  カード
６    店舗装置
６１  モニター
６２  来店予告情報入力装置
６３  リーダーライター装置
６４  ＣＰＵ
７    記録装置（磁気カード）
８    記録装置（ＲＦＩＤタグ内蔵カード）
９    記録装置（携帯通信端末）
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
顧客毎に付与される顧客識別子と、顧客識別子を入力する顧客識別子入力装置と、当該日以降に来店を予定する来店予告日に関する来店予告情報を入力する来店予告情報入力装置と、サーバーへ前記顧客識別子と前記来店予告情報を伝達する伝達装置とを有し、
前記サーバーは、中央演算処理装置と、日付テーブル、ポイントテーブルが構築されてなるデータベースと、時計装置またはカレンダー装置と接続されてなり、
前記中央演算処理装置において伝達手段により前記伝達装置から前記顧客識別子と前記来店予告情報が伝達されると前記来店予告情報に対応する日付テーブルの来店予告日にフラグを付与することにより前記顧客識別子を関連づける手段と、
前記中央演算処理装置において前記伝達手段により前記顧客識別子が伝達されると前記日付テーブルにおける前記顧客識別子のフラグが付与された来店予告日を抽出する手段と、前記中央演算装置と連携して日を計測している前記時計装置または前記カレンダー装置により当該日（本日）を特定する手段と、前記抽出された来店予告日と前記当該日(本日)が一致するか否かを照合する照合手段と、
前記照合手段による照合結果が一致するときに、前記顧客識別子に基づいて前記顧客識別子に対応する前記ポイントテーブルに対して所定の特典ポイントを加算および/または特典ポイントに乗じるポイント加算率をより大きな乗数に変動することにより特典ポイント加算率を増加させる特典付与手段と、
前記照合手段による照合結果が不一致であるときに、前記当該日（本日）が前記来店予告日前であるか前記来店予告日を過ぎているか判断する手段と、ペナルティを付与する手段の稼働・非稼働を判断する手段と、前記当該日（本日）が前記来店予告日を過ぎ、かつ、前記ペナルティを付与する手段が稼働していると判断されたことを条件として、前記ポイントテーブルに対して所定の特典ポイントを減算および/または特典ポイントに乗じるポイント加算率をより小さな乗数に変動することにより特典ポイント加算率を減少させるペナルティ付与手段とを有し、
顧客識別子と当該日以降来店を予定する日に関する来店予告情報とがサーバーに伝達されると前記来店予告情報に対応する日付テーブルの来店予告日にフラグを付与することにより前記顧客識別子を関連づける来店予告段階と、前記顧客識別子がサーバーに伝達されると前記顧客識別子のフラグが付与された来店予告日を抽出し、前記顧客識別子が伝達された当該日（本日）と来店予告日が一致するか否かを照合する照合段階と、照合結果が一致するときに、前記顧客識別子に基づいて前記顧客識別子に対応する前記ポイントテーブルに対して所定の特典ポイントを加算および/または特典ポイントに乗じるポイント加算率をより大きな乗数に変動することにより特典ポイント加算率を増加させる特典付与段階と、照合結果が不一致であるときに、前記当該日（本日）が前記来店予告日前であるか前記来店予告日を過ぎているか判断するとともにペナルティを付与する手段の稼働・非稼働を判断し、前記当該日（本日）が前記来店予告日を過ぎ、かつ、前記ペナルティを付与する手段が稼働していると判断されたことを条件として、前記ポイントテーブルに対して所定の特典ポイントを減算および/または特典ポイントに乗じるポイント加算率をより小さな乗数に変動することにより特典ポイント加算率を減少させるペナルティ付与段階を動作させることを特徴とする顧客来店促進システム。
【請求項２】
前記来店予告情報入力装置は、顧客が選択する次回以降の来店日をカレンダー表示から選択して入力する入力装置であることを特徴とする請求項１に記載の顧客来店促進システム。
【請求項３】
前記顧客識別子入力装置は、識別番号を入力するテンキー装置若しくはタッチパネル装置、または、バーコード、二次元バーコード、磁気データ、電子データを読み取るリーダー装置であることを特徴とする請求項１または２に記載の顧客来店促進システム。
【手続補正２】
【補正対象書類名】明細書
【補正対象項目名】全文
【補正方法】変更
【補正の内容】
【発明の詳細な説明】
【技術分野】
【０００１】
本発明は、顧客来店促進システムに関し、顧客が所定の要件を満たすことにより顧客への特典を付与することを動機付けとして顧客の来店を促進させるためのシステムである。
【背景技術】
【０００２】
従来より、顧客が保有する店舗のサービスポイントカードやサービススタンプカードに、顧客が購入する商品またはサービスの額により所定の数のサービススタンプを押印したり、サービスポイントを加算する等して、顧客が来店するための動機付けを行うことがあった。
【０００３】
しかしながら、これらは顧客が来店するための多少の動機付けになるものではあるが、顧客側にとっては、一般的に全ての顧客に一律のポイントが付与されるため次回来店するための強い動機付けになるとはいえなかった。また、店舗側は、顧客が次回来店するかどうか、特に、次はいつ頃顧客が来店するかについての情報を得ることができなかった。
【０００４】
例えば、特許文献１記載の発明は、顧客の過去の来店実績と連動して、商品の値引きサービスをするシステムである。また特許文献２記載の発明は、顧客が購買の意思を示したとき、その商品の将来の入荷の可能性が確認可能な場合、販売価格の割引や、商品券またはそれに類するポイントの付与をする販売形態をとり、売買契約を成立させる販売管理方法である。特許文献３記載の発明は、顧客の商品買い上げ情報と、顧客の属性情報に基づき提供されるサービスを選択するシステムである。特許文献４記載の発明は、予め設定された期間内においてより多く商品を購入した顧客に対しては、より大きい特典を付与する特典付与管理システムである。
【特許文献１】特開２０００−３０１５３号公報
【特許文献２】特開２００７−１６４７４３号公報
【特許文献３】特開２００７−１０９１６８号公報
【特許文献４】特開２００４−２２０４２６号公報
【発明の開示】
【発明が解決しようとする課題】
【０００５】
そこで本願発明は、顧客側にとっては次回以降の来店のための強い動機付けとなるシステムであるとともに、店舗側にとっては、顧客の来店を促すとともに、次回以降の顧客の来店の予測情報を得ることができるシステムを提供することを目的とする。
【課題を解決するための手段】
【０００６】
上記目的を達成するため本発明の顧客来店促進システムは、顧客毎に付与される顧客識別子と、顧客識別子を入力する顧客識別子入力装置と、当該日以降に来店を予定する来店予告日に関する来店予告情報を入力する来店予告情報入力装置と、サーバーへ前記顧客識別子と前記来店予告情報を伝達する伝達装置とを有し、
前記サーバーは、中央演算処理装置と、日付テーブル、ポイントテーブルが構築されてなるデータベースと、時計装置またはカレンダー装置と接続されてなり、
前記中央演算処理装置において伝達手段により前記伝達装置から前記顧客識別子と前記来店予告情報が伝達されると前記来店予告情報に対応する日付テーブルの来店予告日にフラグを付与することにより前記顧客識別子を関連づける手段と、
前記中央演算処理装置において前記伝達手段により前記顧客識別子が伝達されると前記日付テーブルにおける前記顧客識別子のフラグが付与された来店予告日を抽出する手段と、前記中央演算装置と連携して日を計測している前記時計装置または前記カレンダー装置により当該日（本日）を特定する手段と、前記抽出された来店予告日と前記当該日(本日)が一致するか否かを照合する照合手段と、
前記照合手段による照合結果が一致するときに、前記顧客識別子に基づいて前記顧客識別子に対応する前記ポイントテーブルに対して所定の特典ポイントを加算および/または特典ポイントに乗じるポイント加算率をより大きな乗数に変動することにより特典ポイント加算率を増加させる特典付与手段と、
前記照合手段による照合結果が不一致であるときに、前記当該日（本日）が前記来店予告日前であるか前記来店予告日を過ぎているか判断する手段と、ペナルティを付与する手段の稼働・非稼働を判断する手段と、前記当該日（本日）が前記来店予告日を過ぎ、かつ、前記ペナルティを付与する手段が稼働していると判断されたことを条件として、前記ポイントテーブルに対して所定の特典ポイントを減算および/または特典ポイントに乗じるポイント加算率をより小さな乗数に変動することにより特典ポイント加算率を減少させるペナルティ付与手段とを有し、
顧客識別子と当該日以降来店を予定する日に関する来店予告情報とがサーバーに伝達されると前記来店予告情報に対応する日付テーブルの来店予告日にフラグを付与することにより前記顧客識別子を関連づける来店予告段階と、前記顧客識別子がサーバーに伝達されると前記顧客識別子のフラグが付与された来店予告日を抽出し、前記顧客識別子が伝達された当該日（本日）と来店予告日が一致するか否かを照合する照合段階と、照合結果が一致するときに、前記顧客識別子に基づいて前記顧客識別子に対応する前記ポイントテーブルに対して所定の特典ポイントを加算および/または特典ポイントに乗じるポイント加算率をより大きな乗数に変動することにより特典ポイント加算率を増加させる特典付与段階と、照合結果が不一致であるときに、前記当該日（本日）が前記来店予告日前であるか前記来店予告日を過ぎているか判断するとともにペナルティを付与する手段の稼働・非稼働を判断し、前記当該日（本日）が前記来店予告日を過ぎ、かつ、前記ペナルティを付与する手段が稼働していると判断されたことを条件として、前記ポイントテーブルに対して所定の特典ポイントを減算および/または特典ポイントに乗じるポイント加算率をより小さな乗数に変動することにより特典ポイント加算率を減少させるペナルティ付与段階を動作させることを特徴とする。
【０００７】
また、前記来店予告情報入力装置は、顧客が選択する次回以降の来店日をカレンダー表示から選択して入力する入力装置であることを特徴とする。
【０００８】
前記顧客識別子入力装置は、識別番号を入力するテンキー装置若しくはタッチパネル装置、または、バーコード、二次元バーコード、磁気データ、電子データを読み取るリーダー装置であることを特徴とする。
【発明の効果】
【０００９】
本願発明の顧客来店促進システムは、顧客の次回以降の来店予定または購買予定の日、日時、または、来店若しくは購買までの期間の少なくともいずれかの情報を含む来店予告情報を入力する来店予告手段と、顧客の前記来店予告情報を特定する手段と、顧客の来店予告情報の日、日時、または来店若しくは購買までの期間と該顧客の来店または購買が確認された日または日時または確認までの期間の一致または不一致を照合する照合手段と、前記照合手段により前記来店予告情報の日、日時、または来店若しくは購買までの期間と該顧客の来店または購買が確認された日または日時または確認までの期間とが一致することを条件として該顧客に特典を付与する特典付与手段とを備えてなり、顧客が来店予告情報どおりに来店した場合には、該顧客に特典を付与することにより、顧客側は、自己が来店予告した日に来店または商品やサービスの購入をすればより高い特典を得ることができ、来店のための強い動機付けを得ることができる。店舗側にとっては、顧客の来店を促して顧客を獲得することができ、次回以降の顧客の来店予測情報を得ることができるため特売日の設定や、在庫の管理に役立てることができる。
【００１０】
また本発明の顧客来店促進システムは、顧客毎に付与される顧客識別子が記録された記録装置と、
店舗に備えられる該記録装置に記録された顧客識別子を読み取る顧客識別子入力装置、当該日以降に来店を予定する日である来店予告日を入力する来店予告情報入力装置と、中央演算処理装置へ前記顧客識別子と前記来店予告日を伝達する通信装置からなる来店予告手段と、前記顧客識別子入力装置と、前記中央演算処理装置へ前記顧客識別子を伝達する前記通信装置からなる来店事実を確認する手段と、
店舗装置と、カレンダー装置または時計装置と情報伝達可能に接続されてなる中央演算処理装置を有し、
前記中央演算処理装置は、日付テーブル、ポイントテーブルが構築されてなるデータベースと接続されてなり、前記中央演算処理装置において前記前記顧客識別子と前記来店予告日を受信する手段と、前記来店予告日に対応する日付テーブルの個所に前記顧客識別子のフラグを付与する手段を有し、
前記中央演算処理装置は、前記顧客識別子に基づいて前記顧客識別子に対応する来店予告日を抽出する手段と、前記抽出する手段により抽出された来店予告日と、前記カレンダー装置または時計装置により当該日（本日）を特定する手段と、前記来店予告日と前記当該日(本日)がと一致するか否かを照合する照合手段と、前記照合手段による照合結果が一致するときには、前記顧客識別子を鍵にして前記顧客識別子に対応する前記ポイントテーブルに対して所定の特典ポイントを加算する特典付与手段と、前記照合手段による照合結果が不一致のときには前記当該日（本日）が前記来店予告日前であるか前記来店予告日を過ぎているか判定する判定手段と、該判定手段による判定結果が前記来店予告日を過ぎていると判断したときにはペナルティ付与手段の稼働・非稼働を判定する判定手段と、該判定手段によりペナルティ付与手段が稼働していると判定されたときには、前記顧客識別子を鍵にして前記顧客識別子に対応する前記ポイントテーブルに対して所定の特典ポイントを減算するペナルティ付与手段とを有することにより、顧客識別子とデータベースでシステムを構築するため、顧客側は固有の識別子を保有するだけでシステムに参加することができ、店舗側は各種情報を一元的に管理することができる。
【００１１】
また本発明の顧客来店促進システムは、顧客の次回以降の来店予定または購買予定の日、日時、または、来店若しくは購買までの期間の少なくともいずれかの情報を含む来店予告情報を入力する来店予告手段と、顧客の記録装置を認識する記録装置認識手段と、前記記録装置に前記来店予告情報を記録する記録手段と、前記記録装置に記録された前記来店予告情報を読み出す読み出し手段と、前記読み出し手段により読み出された前記来店予告情報の日、日時、または来店若しくは購買までの期間と前記読み出し手段により前記来店予告情報を読み出した日、日時または読み出しまでの期間の一致または不一致を照合する照合手段と、前記照合手段により前記来店予告情報の日、日時、または来店若しくは購買までの期間と前記来店予告情報を読み出した日、日時または読み出しまでの期間が一致することを条件として前記顧客に特典を付与する特典付与手段とを備えてなり、顧客が来店予告情報どおりに来店した場合には、該顧客に特典を付与することにより、顧客の記録装置に情報を記録することでシステムを運用するため、店舗側は、ネットワークやサーバー等のシステムを構築しなくてもよい。
【００１２】
また、上述の本願発明の顧客来店促進システムにおいて、前記照合手段による照合結果が一致しないこと、および/または、前記照合手段の照合結果が演算された日、日時または期間が、来店予告情報の日、日時、または、来店若しくは購買までの期間を過ぎていることを条件としてペナルティを付与するペナルティ付与手段を備えてなることにより、顧客はペナルティを嫌い、さらなる顧客の来店を促すことができる。
【図面の簡単な説明】
【００１３】
【図１】本願発明の第一の実施の形態を示すシステムの概略図。
【図２】本願発明の第二の実施の形態を示すシステムの概略図。
【図３】本願発明の第三の実施の形態を示すシステムの概略図。
【図４】本願発明のシステムのフローチャート。
【図５】本願発明のシステムのフローチャート。
【図６】本願発明のシステムのフローチャート。
【図７】本願発明のシステムのフローチャート。
【発明を実施するための形態】
【００１４】
本願発明の最も簡易かつ、一般的な顧客来店促進システムは、顧客の次回以降の来店予定または購買予定の日、日時、または来店または購買までの期間の少なくともいずれかの情報を含む来店予告情報を入力する来店予告手段と、顧客を特定する顧客特定手段と、該顧客の来店予告情報を特定する手段と、前記来店予告情報の日と該顧客の来店事実が確認された日の一致または不一致を照合する照合手段と、前記照合手段により前記来店予告情報の日、日時、または来店または購買までの期間と来店事実入力日または入力日時または入力までの期間が一致することを条件として前記顧客に特典を付与する特典付与手段とを備えてなるシステムである。
【００１５】
このシステムの処理を一般化したフローチャートを図４に示す。顧客が来店し、顧客の識別番号および顧客が前回予告した来店予告日（例えば２０１０年７月１日）をテンキー等により入力する（Ｓ１）。既に入力されている来店予告日（２０１０年７月１日）と、当該入力日（例えば本日）と一致しているかどうか照合手段は照合する（Ｓ２）。一致（Ｙｅｓ）の結果が算出されることを条件として特典付与手段は、特典を与える処理を行う（Ｓ３）。ここまでが基本的な処理である。また、不一致（Ｎｏ）との結果が算出されたことを条件として、来店予告日を過ぎているかどうか照合する（Ｓ４）。来店予告日を過ぎていない場合には（Ｎｏ）、処理は終了し、来店予告日を過ぎている場合には（Ｙｅｓ）、ペナルティを与える設定にしているかどうか照合する（Ｓ５）。ペナルティを与える設定にしていない場合には（Ｎｏ）、処理は終了し、ペナルティを与える設定にしている場合には（Ｙｅｓ）、ペナルティの処理を行う（Ｓ６）。
【００１６】
本願発明の第一の実施の形態の顧客来店促進システムを図１に示す。図１に示すシステム１は、店舗に設置される店舗装置２、店舗または本部に設置されるＣＰＵ４１、ＲＡＭ４２、データベース３１等が搭載または接続されているサーバー３、顧客が保有するカード５１〜５３（５Ｘ）に記載、記録されている顧客ＩＤとで構成されており、店舗装置２とサーバー３は情報伝達可能にケーブル、専用回線、またはインターネット等の通信網により接続されている。このシステム１は、顧客が店舗に設置してある店舗装置２において来店予告情報を入力し、来店日に店舗装置２で来店事実を確認するために顧客識別子を入力をし、これらの情報がサーバー３で処理されるシステムの例である。
【００１７】
顧客が保有するカード５１〜５３には、あらかじめ識別番号が磁気データにより記録されていて、たとえば１６桁の固有番号のごとき顧客ＩＤが付与されている。
【００１８】
店舗装置２には、来店予告手段としての次回来店予告日を入力するテンキーまたはパネルタッチ式入力装置等の来店予告情報入力装置２２、顧客識別子入力手段としての、磁気カードから顧客ＩＤを読み取るリーダー装置またはテンキー等の識別子入力装置２３、サーバー３との間で情報伝達をするモデム等の通信装置２４が接続されている。また店舗装置２にはモニター２１が接続されている。システム１においてこれらの装置は、一つの店舗装置２に構築されており、テンキー、リーダー装置、パネルタッチ式入力装置は各入力手段を兼ねるように構築されている。尚、これらの各手段は個別の装置として構築してもよい。また店舗装置２に接続されるモニター２１には、顧客が来店予告日を選択するカレンダーの他、特売日情報や、広告情報などを出力するようになっている。これらの情報はサーバー３のデータベース３１から伝達するようにしてもよい。尚、店舗装置２には不図示のＰＯＳやレジスターを搭載して、商品またはサービスの購入の際に各種情報を入力可能にしてもよい。さらに、カード５１〜５３表面に来店予告日を印字する印字装置を備えてもよい。
【００１９】
このシステム１における店舗装置２の識別子入力装置２３はカード５１〜５３を挿入するとカード５１〜５３に付された磁気データからなる顧客ＩＤを読み取るようになっている。また、来店予告情報入力装置２２は、モニター２１に表示されるその日以降のカレンダーから任意の来店予告日を選択的に入力できるようになっている。そして通信装置２４は、顧客ＩＤと入力された来店予告日をサーバー３に伝達するようになっている。尚、これらの装置に顧客ＩＤを読み取らせたり、来店予告や来店に関する情報を入力する作業は、顧客本人が行ってもよいし、店舗の店員が行ってもよい。
【００２０】
サーバー３は、データベース３１とＣＰＵ４１、ＲＡＭ４２等が搭載または相互にデータ通信可能に接続されている演算装置であって、店舗装置２と情報伝達可能な状態になっている。データベース３１には、少なくとも日付テーブルと顧客のポイントテーブルが格納されている。ＣＰＵ４１は、店舗装置２より来店予告情報と顧客ＩＤの伝達があると、来店予告情報に該当する日付テーブルの個所に、顧客ＩＤに対応するフラグをたてるようになっている。また、ＣＰＵ４１は、店舗装置２から顧客ＩＤの伝達があった場合には、この顧客ＩＤを鍵にして対応する来店予告情報の日付を抽出する手段を有している。また、ＣＰＵ４１は、抽出された来店予告情報の日付と来店事実を確認した日（顧客ＩＤの伝達がされた日）が一致するか、一致しないかを演算する照合手段を有している。この照合手段は店舗装置２から顧客ＩＤの伝達があった日を確認するためにカレンダー装置、または時計装置と接続されている。尚、カレンダー装置、または時計装置は、サーバー３側に備えずに店舗装置２側に備えてもよく、この場合、顧客ＩＤとともに確認された日付がサーバー３へ伝達される。
【００２１】
さらに、システム１において、ポイント付与手段は、商品またはサービスの購入に使うことのできる特典ポイントを加算する設定であり、ＣＰＵ４１は、照合手段により来店予告情報の日付と顧客ＩＤの伝達がされた日付（例えば、本日）が一致する結果が得られたことを条件として、顧客ＩＤに対応するポイントテーブルに所定の特典ポイントを加算するポイント加算手段を有している。また、ポイント加算手段とともに、または、ポイント加算手段に代えて、照合手段により来店予告情報の日付と顧客ＩＤの伝達がされた日付が一致する結果が得られたことを条件として、顧客ＩＤに対応するポイントテーブルの特典ポイントに乗じられるポイント加算率をより大きな乗数に変動させるポイント加算率変動手段を有している。このポイント加算率変動手段は、所定回数を超えて来店した顧客のポイントテーブル毎に変動させてもよいし、来店予告の多い日または少ない日、あるいはあらかじめ設定した特売日など一定の期間変動させてもよい。
【００２２】
さらに、ペナルティ付与手段が設定可能なシステム１において、ペナルティ付与手段は、商品またはサービスの購入に使うことのできる特典ポイントを減算する設定になっている。ＣＰＵ４は、照合手段により来店予告情報の日付と顧客ＩＤの伝達がされた日付（例えば、本日）が一致しないこと、および、該日付が来店予告情報の日付を過ぎていることを条件として、顧客ＩＤに対応するポイントテーブルから所定の特典ポイントを減算するポイント減算手段を有している。また、ポイント減算手段とともに、または、ポイント減算手段に代えて、照合手段により来店予告情報の日付と来店事実確認手段により確認された日付が一致しないこと、および、顧客ＩＤの伝達がされた日付（例えば、本日）が来店予告情報の日付を過ぎていることを条件として、顧客ＩＤに対応するポイントテーブルの特典ポイントに乗じられるポイント加算率をより小さな乗数に変動させるポイント加算率変動手段を有している。尚、このペナルティ付与手段を動作させるか、動作させないかの設定は任意に選択することができる。
【００２３】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、価格テーブルの価格（例えばマイナス１００円）を店舗装置２や不図示のＰＯＳやレジスターに伝達し、購入物に対する価格に反映するようになっている。これにより、例えば単価３００円の物が該顧客に対しては１００円引きの２００円で販売される。
【００２４】
尚、ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００２５】
尚、システム１に用いられるカード５１〜５３は磁気データを読み出す磁気式のカードであるが、顧客ＩＤを、識別番号、バーコード、二次元バーコード、電子データとし、これらを記載または記録したカードであってもよく、識別子入力装置２３は顧客ＩＤに対応する入力装置であってもよい。
【００２６】
システム１における処理のフローチャートを図５に示す。顧客が来店しカード５１を識別子入力装置２３に挿入すると、識別子入力装置２３が顧客ＩＤを読み取る、例えば、モニター２１に表示されたカレンダーを参照しながら来店予告情報入力装置２２より次回以降の来店予告日（例えば、２０１０年７月１日）が入力されると、入力された顧客ＩＤと来店予告情報は、通信装置２４を介してサーバー３へ伝達され、ＣＰＵ２４は、データベース３１の日付テーブルに該顧客ＩＤに対応するフラグを立てる（Ｓ０）。ここまでが、来店予告段階である。
【００２７】
次に顧客が来店した際に、顧客が来店しカード５１を識別子入力装置２３に挿入すると、顧客ＩＤを識別子入力装置２３が読み取る。そして、この顧客ＩＤはサーバー３に伝達される。サーバー３においてＣＰＵ４１は該顧客ＩＤを受信すると該顧客ＩＤを鍵にしてデータベース３１の日付テーブルに立てられたフラグに基づいて該顧客ＩＤに対応する来店予告日（２０１０年７月１日）を抽出する（Ｓ１）。
【００２８】
次に、サーバー３においてＣＰＵ４１は、顧客ＩＤがサーバー３に伝達された日（例えば、本日）を確認し、該顧客の来店予告日（２０１０年７月１日）と顧客ＩＤがサーバー３に伝達された日（例えば、本日）の日付が一致するか一致しないかを照合手段で演算する（Ｓ２）。ここまでが照合段階である。
【００２９】
照合手段による演算結果が一致（本日が２０１０年７月１日：Ｙｅｓ）の場合には、ＣＰＵ４１は、ポイント加算手段により、該顧客ＩＤを鍵にしてデータベース３１の該顧客のポイントテーブルに所定のポイント（例えば１ポイント）を加算する（Ｓ３）。ここまでが特典付与段階である。
【００３０】
また、照合手段による演算結果が不一致（Ｎｏ）の場合には、ＣＰＵ４１は、顧客ＩＤがサーバー３に伝達された日（例えば、本日）の日付が該顧客の来店予告日（２０１０年７月１日）を過ぎているか照合する（Ｓ４）。来店予告日を過ぎていない（Ｎｏ）場合には処理は終了する。
【００３１】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００３２】
ペナルティを与えるルールにしている場合（Ｙｅｓ）の場合には、ＣＰＵ４１は、ポイント減算手段により、該顧客ＩＤを鍵にしてデータベース３１の該顧客のポイントテーブルから所定のポイント（例えば１ポイント）を減算する（Ｓ６）。ここまでがペナルティ付与段階である。以上が来店予告から来店事実を確認して来店予告日と来店事実を確認した日を照合し、照合結果に応じて特典またはペナルティを与えるシステムのフローである。
【００３３】
本願発明の第二の実施の形態の顧客来店促進システムを図１に示す。図２に示す顧客来店促進システム１２は、店舗に設置されるモニター２１を有する店舗装置２、店舗または本部に設置されるＣＰＵ４１、ＲＡＭ４２、データベース３１等が搭載または接続されているサーバー３、顧客が保有するカード５１〜５３（５Ｘ）に記載、記録されている顧客ＩＤ、顧客が店舗外において操作する来店予告装置としての顧客端末２５とで構成されており、店舗装置２と顧客端末２５とサーバー３は情報伝達可能にケーブル、専用回線、またはインターネット等の通信網により接続されている。このシステム１は、顧客が保有する顧客端末２５において来店予告情報を入力し、来店日に店舗装置２で来店事実を確認するために顧客識別子を入力をし、これらの情報がサーバー３で処理されるシステムの例である。
【００３４】
顧客にはあらかじめ顧客ＩＤが付与されており、例えばこの顧客ＩＤはカード５１〜５３にたとえば１６桁の固有番号のごとき顧客ＩＤとして記載または記録されている。顧客端末２５は、顧客が保有するサーバー３と情報通信可能なコンピュータや携帯通信端末である。顧客はこの顧客端末２５から自己の顧客ＩＤを入力してサーバー３にログインし、該顧客端末２５のテンキーやタッチパネルから次回以降の来店予告日を入力できるようになっている。尚、このとき顧客端末２５のモニターに顧客が来店予告日を選択するカレンダーの他、特売日情報や、広告情報などを出力するようになっている。これらの情報はサーバー３のデータベース３１から伝達されるようになっている。
【００３５】
店舗装置２には、顧客識別子入力手段としての、磁気カードから顧客ＩＤを読み取るリーダー装置またはテンキー等の識別子入力装置２３、サーバー３との間で情報伝達をするモデム等の通信装置２４が接続されている。システム１２においてこれらの装置は、一つの店舗装置２に構築されており、テンキー、リーダーライター装置、パネルタッチ式入力装置は各手段における入力手段を兼用するように構築されている。尚、これらの各手段は個別の装置として構築してもよい。また店舗装置２には、システム１のように、来店予告情報入力装置２２を搭載してもよく、来店予告情報は、顧客端末２５および来店予告情報入力装置２２のいずれからも入力可能にしてもよい。尚、店舗装置２には不図示のＰＯＳやレジスターを搭載して、商品またはサービスの購入の際に各種情報を入力可能にしてもよい。さらに、カード５１表面に来店予告日を印字する印字装置を備えてもよい。
【００３６】
このシステム１において、店舗装置２の識別子入力装置２３は、顧客が保有する磁気式のカード５１〜５３から識別子入力装置２３により顧客ＩＤを読み取るようになっている。顧客が来店を報告するためにカード５１〜５３を識別子入力装置２３に挿入すると、識別子入力装置２３は顧客ＩＤを読み取るようになっており、通信装置２４は、該顧客ＩＤをサーバー３に伝達するようになっている。
【００３７】
サーバー３は、データベース３１とＣＰＵ４、ＲＡＭ４２等が搭載または相互にデータ通信可能に接続されている演算装置であって、顧客端末２５および店舗装置２と情報伝達可能な状態になっている。データベース３１には、少なくとも日付テーブルと顧客のポイントテーブルが格納されている。ＣＰＵ４は、顧客端末２５より来店予告情報と顧客ＩＤの伝達があると、来店予告情報に該当する日付テーブルの個所に、顧客ＩＤに対応するフラグをたてるようになっている。また、ＣＰＵ４１は、店舗装置２から顧客ＩＤの伝達があった場合には、この顧客ＩＤを鍵にして日付テーブルに立てられたフラグに基づいて該顧客ＩＤに対応する来店予告情報の日付を抽出する手段を有している。また、ＣＰＵ４１は、抽出された来店予告情報の日付と来店事実を確認した日付（顧客ＩＤの伝達がされた日付）が一致するか、一致しないかを演算する照合手段を有している。この照合手段は店舗装置２から顧客ＩＤの伝達があった日を確認するカレンダー装置、または時計装置と接続されている。尚、カレンダー装置、または時計装置は、サーバー３側に備えずに店舗装置２側に備えてもよく、この場合、顧客ＩＤとともに確認された日付がサーバー３へ伝達される。
【００３８】
さらに、システム１２において、ポイント付与手段は、商品またはサービスの購入に使うことのできる特典ポイントを加算する設定であり、ＣＰＵ４は、照合手段により来店予告情報の日付と顧客ＩＤの伝達がされた日付（例えば、本日）が一致する結果が得られたことを条件として、顧客ＩＤに対応するポイントテーブルに所定の特典ポイントを加算するポイント加算手段を有している。また、ポイント加算手段とともに、または、ポイント加算手段に代えて、照合手段により来店予告情報の日付と来店事実確認手段により確認された日付が一致する結果が得られたことを条件として、顧客ＩＤに対応するポイントテーブルの特典ポイントに乗じられるポイント加算率をより大きな乗数に変動させるポイント加算率変動手段を有している。このポイント加算率変動手段は、所定回数の来店事実確認毎に変動させてもよいし、特売日や特売月間等特定の日に変動させてもよい。
【００３９】
さらに、ペナルティ付与手段が設定可能なシステム１２において、ペナルティ付与手段は、商品またはサービスの購入に使うことのできる特典ポイントを減算する設定になっている。ＣＰＵ４１は、照合手段により来店予告情報の日付と顧客ＩＤの伝達がされた日付（例えば、本日）が一致しないこと、および、該日付が来店予告情報の日付を過ぎていることを条件として、顧客ＩＤに対応するポイントテーブルから所定の特典ポイントを減算するポイント減算手段を有している。また、ポイント減算手段とともに、または、ポイント減算手段に代えて、照合手段により来店予告情報の日付と顧客ＩＤの伝達がされた日付（例えば、本日）が一致しないこと、および、来店事実確認手段により確認された日付が来店予告情報の日付を過ぎていることを条件として、顧客ＩＤに対応するポイントテーブルの特典ポイントに乗じられるポイント加算率をより小さな乗数に変動させるポイント加算率変動手段を有している。尚、このペナルティ付与手段を動作させるか、動作させないかの設定は任意に選択することができる。
【００４０】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、顧客ＩＤに対応する価格テーブルの価格を店舗装置２や不図示のＰＯＳやレジスターに伝達するようになっている。ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００４１】
尚、システム１２に用いられるカード５１〜５３は磁気データを読み出すカードであるが、顧客ＩＤを識別番号、バーコード、二次元バーコード、電子データとし、これらを記載または搭載したカードであってもよく、顧客端末２５および識別子入力装置２３はこれらに対応する入力装置であってもよい。
【００４２】
システム１２における処理のフローチャートを図６に示す。顧客が操作する顧客端末２５から顧客ＩＤによりサーバー３にログインがされ、来店予告日、（例えば、２０１０年７月１日）が入力されると、入力された情報は、通信回線を介してサーバー３へ伝達され、ＣＰＵ４１は、データベース３１の日付テーブルに該顧客ＩＤに対応するフラグを立てる（Ｓ０）。ここまでが、来店予告段階である。
【００４３】
次に、顧客が来店しカード５１〜５３を識別子入力装置２３に挿入すると、識別子入力装置２３は顧客ＩＤを読み取る。そして、この顧客ＩＤはサーバー３に伝達され、サーバー３においてＣＰＵ４１は該顧客ＩＤを鍵にしてデータベース３１の日付テーブルから該顧客の来店予告日（２０１０年７月１日）を抽出する（Ｓ１）。
【００４４】
次に、サーバー３においてＣＰＵ４１は、顧客ＩＤがサーバー３に伝達された日（例えば、本日）を確認し、該顧客の来店予告日（２０１０年７月１日）と顧客ＩＤがサーバー３に伝達された日（例えば、本日）の日付が一致するか一致しないかを照合手段で演算する（Ｓ２）。ここまでが照合段階である。
【００４５】
照合手段による演算結果が一致（本日が２０１０年７月１日：Ｙｅｓ）の場合には、ＣＰＵ４１は、ポイント加算手段により、該顧客ＩＤを鍵にしてデータベース３１の該顧客のポイントテーブルに所定のポイント（例えば１ポイント）を加算する（Ｓ３）。ここまでが特典付与段階である。
【００４６】
また、照合手段による演算結果が不一致（Ｎｏ）の場合には、ＣＰＵ４１は、顧客ＩＤがサーバー３に伝達された日（例えば、本日）の日付が該顧客の来店予告日（２０１０年７月１日）を過ぎているか照合する（Ｓ４）。来店予告日を過ぎていない（Ｎｏ）場合には処理は終了する。
【００４７】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００４８】
ペナルティを与えるルールにしている場合（Ｙｅｓ）の場合には、ＣＰＵ４１は、ポイント減算手段により、該顧客ＩＤを鍵にしてデータベース３１の該顧客のポイントテーブルから所定のポイント（例えば１ポイント）を減算する（Ｓ６）。ここまでがペナルティ付与段階である。以上が来店予告から来店事実を確認して来店予告日と来店事実を確認した日を照合し、照合結果に応じての特典またはペナルティを与えるシステムのフローである。
【００４９】
本願発明の第三の実施の形態の顧客来店促進システムを図３に示す。図３に示す顧客来店促進システム１３は、店舗に設置される店舗装置６、非接触式の記録装置としてのＲＦＩＤタグ内蔵カード８または携帯通信端末９とで構成されており、このシステム１３は、顧客が店舗に設置してある店舗装置６において来店予告情報を入力すると店舗装置６がこの情報が顧客の保有する記録装置８、９に記録し、さらに実際の来店日に店舗装置６は、記録装置８、９を店舗装置６に認識させて記録されている情報を読み出すことにより来店事実を確認し、来店予告情報と実際の来店日の照合をして特典の付与等を行う、店舗装置２とこれらの記録装置８、９の間で処理されるシステムの例である。
【００５０】
顧客が保有するＲＦＩＤタグ内蔵カード８は、非接触型の記録装置でありメモリとアンテナを備えたパッシヴ型またはアクティヴ型のＲＦＩＤタグを内蔵したカードであって、該カードに対して電磁誘導方式または電波方式のリーダーライター装置によりデータを読み取り書き込みすることができる記録装置である。携帯通信端末９は、メモリ機能を備えた携帯電話や等の通信端末であり、電磁誘導方式または電波方式のリーダーライター装置によりデータを読み取り書き込みすることができる記録装置である。尚、記録装置は、上記非接触式の記録装置に代えて接触式の例えば、磁気式のリーダーライター装置によりデータを読み取り書き込みすることができる磁気カード７としてもよい。この場合に磁気データを書き込み読み取りするリーダーライター装置が用いられる。
【００５１】
店舗装置６は、非接触式のリーダーライター装置６３を備えてなり、顧客が保有する記録装置８、９の記録方式により磁誘導方式、または電波方式によりデータ通信をする装置であり通信回路とアンテナを有している。リーダーライター装置６３は、記録装置８、９に来店予告情報を書き込み、また、これら記録装置８、９に記録された来店予告情報を読み出すようになっている。また、店舗装置６は、来店予告日と来店事実を確認した日付（来店予告情報を読み出した日）を照合する照合手段、特典付与手段またはペナルティ付与手段として機能するＣＰＵ６４を備えている。またこの店舗装置６には、来店予告手段としての次回来店予告日を入力するテンキーまたはパネルタッチ式入力装置等の来店予告情報入力装置６２、顧客が来店予告日を選択するカレンダーの他、特売日情報や、広告情報などを出力するモニター６１が接続されている。尚、店舗装置６は必要に応じて、システム１および１２の如く、情報をデータベース３１、ＣＰＵ４１、ＲＡＭ４２を備えたサーバー３に情報伝達可能に接続し、各記録装置に記録したものと同じデータをデータベース３１に蓄積して情報を管理するようにしてもよい。
【００５２】
店舗装置６のリーダーライター装置６３は、記録装置８、９が所定の読み取り位置にセットされると該記録装置８または９を認識する。そして記録装置８、９がセットされた状態で来店予告日を来店予告情報入力装置６２から入力されると、リーダーライター装置６３は、リーダーライター装置６３記録装置８、９との間でデータ通信を行い、記録装置８、９のメモリに来店予告情報を記憶する。また、記録装置８、９が所定の読み取り位置にセットされると店舗装置６は、記録装置８、９との間でデータ通信を行い、記録されている来店予告情報を読み出す。また、ＣＰＵ６４は、来店予告情報の読み出しがあった場合には、読み出された来店予告情報の日付と読み出しにより来店事実が確認された日付（例えば本日）が一致するか、一致しないかを演算する照合手段を有している。この照合手段は店舗装置６において来店予告情報読み出した日を確認するカレンダー装置、または時計装置と接続されている。
【００５３】
さらに、ポイント付与手段が、商品またはサービスの購入に使うことのできる特典ポイントを加算する設定のシステム１３において、ＣＰＵ６４は、照合手段により来店予告情報の日付読み出しにより来店事実が確認された日付（例えば本日）が一致する結果が得られたことを条件として、記録装置８、９に確保される、または確保されているポイントテーブルに所定の特典ポイントを加算するポイント加算手段を有している。また、ポイント加算手段とともに、または、ポイント加算手段に代えて、照合手段により来店予告情報の日付と確認された日付が一致する結果が得られたことを条件として、記録装置８、９のポイントテーブルの特典ポイントに乗じられるポイント加算率をより大きな乗数に変動させるポイント加算率変動手段を有している。このポイント加算率変動手段は、所定回数を超えて来店した顧客のポイントテーブル毎に変動させてもよいし、来店予告の多い日または少ない日、あるいはあらかじめ設定した特売日など一定の期間変動させてもよい。
【００５４】
さらに、ペナルティ付与手段が設定可能なシステム１３において、ペナルティ付与手段は、商品またはサービスの購入に使うことのできる特典ポイントを減算する設定になっている。ＣＰＵ６４は、照合手段により来店予告情報の日付と読み出しにより来店事実が確認された日付（例えば本日）が一致しないこと、および読み出しにより来店事実が確認された日付が来店予告情報の日付を過ぎていることを条件として、記録装置８、９のポイントテーブルから所定の特典ポイントを減算するポイント減算手段を有している。また、ポイント減算手段とともに、または、ポイント減算手段に代えて、照合手段により来店予告情報の日付と来店事実確認手段により確認された日付が一致しないこと、および、来店事実確認手段により確認された日付が来店予告情報の日付を過ぎていることを条件として、記録訴追８、９のポイントテーブルの特典ポイントに乗じられるポイント加算率をより小さな乗数に変動させるポイント加算率変動手段を有している。尚、このペナルティ付与手段の設定は、解除することができる。
【００５５】
尚、ポイント付与手段が、顧客の購入商品または購入サービスの価格を値引きする設定の他のシステムにおいては、ＣＰＵ４は、照合手段により来店予告情報の日付と顧客ＩＤの伝達がされた日付（例えば、本日）が一致する結果が得られたことを条件として、顧客ＩＤに対応する価格テーブルの価格を店舗装置２や不図示のＰＯＳやレジスターに伝達するようになっている。ポイント付与手段が、店員の閲覧する画面に、顧客への特典品を表示する他のシステムにおいては、ＣＰＵ４は、照合手段により来店予告情報の日付と顧客ＩＤの伝達がされた日付（例えば、本日）が一致する結果が得られたことを条件として、データベースから該当する特典品の種類を店舗装置２や不図示のＰＯＳやレジスターに伝達し、表示するようになっている。これにより、例えば、景品などが顧客に与えられる。
【００５６】
システム１３における処理のフローチャートを図７に示す。顧客が来店し、記録装置８を店舗装置６の所定位置にセットすると店舗装置６が認識手段により認識する。来店予告情報入力装置２２より次回以降の来店予告日（例えば、２０１０年７月１日）が入力されると入力された情報は、店舗装置６のリーダーライター装置６３により記録装置８のメモリに書き込まれる（Ｓ０）。ここまでが、来店予告段階である。
【００５７】
次に、再度顧客が来店し記録装置８を店舗装置６の所定位置にセットすると店舗装置６のリーダーライター装置６３は記録されている来店予告日（２０１０年７月１日）を読み出す（Ｓ１）。
【００５８】
次に、店舗装置６のＣＰＵ６４は、該顧客の来店予告日（２０１０年７月１日）と該来店予告日が読み出された日（例えば、本日）の日付が一致するか一致しないかを照合手段で演算する（Ｓ２）。
【００５９】
照合手段による演算結果が一致（本日が２０１０年７月１日：Ｙｅｓ）の場合には、ＣＰＵ６４は、ポイント加算手段により、加算ポイントが算出されリーダーライター装置６３により記録装置８に確保されるまたは確保されているメモリのポイントテーブルに所定のポイント（例えば１ポイント）を加算する情報を書き込む（Ｓ３）。
【００６０】
また、照合手段による演算結果が不一致（Ｎｏ）の場合には、ＣＰＵ６４は、来店予告日が読み出された日（例えば、本日）の日付が該顧客の来店予告日（２０１０年７月１日）を過ぎているか照合する（Ｓ４）。来店予告日を過ぎていない（Ｎｏ）場合には処理は終了する。
【００６１】
来店予告日を過ぎている（Ｙｅｓ）場合には、ペナルティ付与手段が設定されているか、いないかを判断する（Ｓ５）。ペナルティ付与手段が設定されておらずペナルティを与えるルールにしていない場合（Ｎｏ）には処理は終了する。
【００６２】
ペナルティを与えるルールにしている場合（Ｙｅｓ）の場合には、ＣＰＵ６４は、ポイント減算手段により、減算ポイントが算出され、リーダーライター装置６３により記録装置８のメモリのポイントテーブルから所定のポイント（例えば１ポイント）が減算される（Ｓ６）。以上が来店予告から来店事実を認定し所定の特典またはペナルティを与えるシステムのフローである。
【００６３】
上記各システム１、１２、１３はそれぞれ別個のシステムとして説明したが、これらのシステムを組み合わせてシステムを構築してもよい。例えばシステム１に顧客端末２５による来店予告情報入力手段を備えたシステム１２と、記録装置７、８、９に情報を読み取り書き込みする店舗装置６を備えたシステム１３を備えてなる複合システムとしてもよい。
【００６４】
また、来店予告日や来店事実認定の単位は日としたが、該単位は日時、週、月、年であってもよく任意に定められる。また、来店事実の認定は、顧客が来店して顧客識別子の入力や記録装置からの読み出し等により来店事実を確認する例を説明したが、来店事実の確認は顧客が来店して商品またはサービスを購入した日であってもよい。また、来店事実の確認は、実在の店舗に来店した日に限られず、店舗装置２に代えて顧客端末２５インターネット上の仮想店舗に来店して商品またはサービスを購入した日にしてもよい。この場合来店の確認はサーバー３へのログインや購入行為をしたことによりなされる。
【００６５】
このようなシステムは、種々の店舗で用いることができる。例えばスーパーマーケットやデパート等の小売店で利用する場合には、顧客の来店予告が多い日に商品の仕入れを多くしたり、また来店予告に基づいて特売日の設定をすることができる。またアミューズメント施設等で用いる場合には、顧客の来店予告に基づいて当たりを多く出す特売日を設定することができる。
【符号の説明】
【００６６】
１    顧客来店促進システム
１２  顧客来店促進システム
１３  顧客来店促進システム
２    店舗装置
２１  モニター
２２  来店予告情報入力装置
２３  識別子入力装置
２４  通信装置
２５  顧客端末
３    サーバー
３１  データベース
４１  ＣＰＵ
４２  ＲＡＭ
５１  カード
５２  カード
５３  カード
６    店舗装置
６１  モニター
６２  来店予告情報入力装置
６３  リーダーライター装置
６４  ＣＰＵ
７    記録装置（磁気カード）
８    記録装置（ＲＦＩＤタグ内蔵カード）
９    記録装置（携帯通信端末）